(57)【要約】【課題】好適なディスプレイおよび印刷のための高コントラスト空間光変調器を提供すること。【解決手段】反射性上表面と、伝導表面部分を有する下表面（１０３）と、下表面上の開口部を有する第１のキャビティ、基板部分における第２のキャビティ、および第２のキャビティ上の膜を有する基板部分とを備えるミラープレート（１０２）を含む空間光変調器が提供される。その変調器は、上表面、上表面と接続するヒンジ支持ポスト（１０５）、ヒンジ支持ポストによって支持され、ミラープレートと接続し、ミラープレートの回転を容易にするヒンジ構成部品を備える基板（３００）を含む。ヒンジ構成部品は第１のキャビティ内部へと延びる。垂直着地チップ（２２２）は、ミラープレートの基板部分における第２のキャビティ上の膜と接触し、所定の方向にてミラープレートの回転を停止させるように構成されている。【選択図】図１
2007156466.tif 000002
【特許請求の範囲】
【請求項１】
反射性上表面と、伝導表面部分を有する下表面と、該下表面上の開口部を有する第１のキャビティ、基板部分における第２のキャビティ、および該第２のキャビティ上の膜を有する基板部分とを備えるミラープレートと、
上表面と、該上表面と接続するヒンジ支持ポストと、該ヒンジ支持ポストによって支持され、該ミラープレートと接続し、該ミラープレートの回転を容易にするヒンジ構成部品とを備える基板であって、該ヒンジ構成部品は、該第１のキャビティ内部へと延び、該ミラープレートの回転を容易にするように構成されている、基板と、
該基板の該上表面と接続する垂直着地チップであって、該垂直着地チップは、該ミラープレートの該基板部分における該第２のキャビティ上の該膜と接触し、所定の方向にて該ミラープレートの回転を停止させるように構成されている、垂直着地チップと
を備える、空間光変調器。
【請求項２】
前記基板の前記上表面上の電極をさらに備える、請求項１に記載の空間光変調器。
【請求項３】
電圧が、前記基板上の電極と、前記ミラープレートの前記下表面における前記伝導表面部分との間において印加される場合に、前記垂直着地チップは、該ミラープレートの前記基板部分における前記第２のキャビティ上の前記膜と接触し、所定の方向にて該ミラープレートの回転を停止させるように構成されている、請求項２に記載の空間光変調器。
【請求項４】
前記ミラープレートが、前記電圧によって生成された静電力によって引き出され、前記垂直着地チップによって停止された場合、該ミラープレートの前記基板部分における前記第２のキャビティ上の前記膜は、前記垂直着地チップによって変形されるように構成されている、請求項３に記載の空間光変調器。
【請求項５】
前記膜は、前記変形を復元するように構成され、前記垂直着地チップに対して弾性力を生成するように構成されている、請求項４に記載の空間光変調器。
【請求項６】
前記膜は、前記ミラープレートの前記基板部分における前記第２のキャビティを部分的に覆い、該ミラープレートの前記下表面において、該第２のキャビティにおける開口部を残す、請求項１に記載の空間光変調器。
【請求項７】
前記膜は、チタニウム、タンタル、タングステン、モリブデン、それらの合金、シリコン、アモルファスシリコン、ポリシリコン、および窒化シリコンより選択される材料を含む、請求項１に記載の空間光変調器。
【請求項８】
前記ミラープレートの前記基板部分の前記第２のキャビティ上の前記膜は、該ミラープレートの該基板部分と実質的に同一の材料を含む、請求項１に記載の空間光変調器。
【請求項９】
前記第２のキャビティ上の前記膜および前記ヒンジ構成部品は、実質的に同一の材料組成を含む、請求項１に記載の空間光変調器。
【請求項１０】
前記第２のキャビティ上の前記膜および前記ヒンジ構成部品は、前記ミラープレートの前記基板部分における材料組成とは異なる材料組成を含む、請求項９に記載の空間光変調器。
【請求項１１】
前記基板は、二つのヒンジ支持ポスト、およびそれぞれが該ヒンジ支持ポストのうちの一つによって支持される二つのヒンジ構成部品を備え、該ヒンジ構成部品のそれぞれが、前記ミラープレートの前記基板部分における、対応する第１のキャビティ内部に延びるように構成されている、請求項１に記載の空間光変調器。
【請求項１２】
前記ミラープレートは、前記対応する第１のキャビティに配置された前記二つのヒンジ構成部品によって規定された軸の周りを回転するように構成されている、請求項１１に記載の空間光変調器。
【請求項１３】
前記基板は、前記上表面上の第１の電極および第２の電極を備える、請求項１に記載の空間光変調器。
【請求項１４】
前記ミラープレートの前記基板部分は、それぞれ膜によって少なくとも部分的に覆われた二つの第２のキャビティを備える、請求項１３に記載の空間光変調器。
【請求項１５】
第１の電圧が前記第１の電極と、前記ミラープレートの前記下表面における前記伝導表面との間に印加される場合、該ミラープレートは、第１の方向に回転するように構成され、第２の電圧が前記第２の電極と、該ミラープレートの該下表面における該伝導表面部分との間に印加される場合、該ミラープレートは、第２の方向に回転するように構成されている、請求項１４に記載の空間光変調器。
【請求項１６】
前記垂直着地チップの第１のチップは、前記第２のキャビティのうちの第１のキャビティ上の第１の膜と接触することによって前記ミラープレートが前記第１の方向に回転するのを停止させるように構成され、該垂直着地チップの第２のチップは、該第２のキャビティのうちの第２のキャビティ上の第２の膜と接触することによって該ミラープレートが前記第２の方向に回転するのを停止させるように構成されている、請求項１５に記載の空間光変調器。
【請求項１７】
前記ミラープレート、前記ヒンジ構成部品、または前記ヒンジ支持ポストは、アルミニウム、シリコン、アモルファスシリコン、ポリシリコン、およびアルミニウム−シリコン合金より選択された材料を含む、請求項１に記載の空間光変調器。
【請求項１８】
複数のミラープレートの二次元アレイであって、各ミラープレートが、反射性上表面と、伝導表面部分を有する下表面と、該下表面上の開口部を有する一つ以上の第１のキャビティ、基板部分における一つ以上の第２のキャビティ、および該第２のキャビティ上の膜を有する基板部分とを備える、複数のミラープレートの二次元アレイと、
上表面と、該上表面上の複数の電極と、該上表面上の複数のヒンジ支持ポスト、該ヒンジ支持ポストのうちの一つによってそれぞれ支持される複数のヒンジ構成部品とを備える基板であって、該ヒンジ構成部品のそれぞれは、該二次元アレイにおける該ミラープレートのうちの一つの該基板部分における該第１のキャビティのうちの一つ内部へと延び、該ミラープレートの回転を容易にするように構成されている、基板と、
該基板の該上表面と接続する複数の垂直着地チップであって、該基板上の電極のうちの一つと、該ミラープレートの該下表面における該伝導表面部分との間に電圧が印加される場合に、該垂直着地チップのそれぞれは、該ミラープレートのうちの一つの該基板部分における該第２のキャビティ上の該膜のうちの一つと接触し、所定の方向にて該ミラープレートの回転を停止させるように構成されている、複数の垂直着地チップと
を備える、空間光変調器。
【請求項１９】
前記複数の電極のうちの一つ以上の電極は前記ミラープレートのそれぞれの下に配置され、前記電圧が、前記基板上の電極のうちの一つと、該ミラープレートの前記下表面における前記伝導表面部分との間に印加される場合に、該ミラープレートが回転する、請求項１８に記載の空間光変調器。
【請求項２０】
前記複数の電極は、前記二次元アレイにおける前記ミラープレートのうちの一つに対応する前記上表面上の第１の電極および第２の電極を備え、該ミラープレートは、第１の電圧が、該第１の電極と、該ミラープレートの前記下表面における前記伝導表面部分との間に印加される場合に、第１の方向に回転するように構成され、第２の電圧が、該第２の電極と、該ミラープレートの該下表面における前記伝導表面部分との間に印加される場合に、第２の方向に回転するように構成されている、請求項１８に記載の空間光変調器。
【請求項２１】
前記膜は、チタニウム、タンタル、タングステン、モリブデン、それらの合金、シリコン、アモルファスシリコン、ポリシリコン、および窒化シリコンより選択される材料を含む、請求項１８に記載の空間光変調器。
【請求項２２】
前記第２のキャビティ上の前記膜および前記ヒンジ構成部品は、実質的に同一の材料組成を含む、請求項１８に記載の空間光変調器。
【請求項２３】
前記第２のキャビティ上の前記膜および前記ヒンジ構成部品は、前記ミラープレートの前記基板部分における材料組成とは異なる材料組成を含む、請求項２２に記載の空間光変調器。
【請求項２４】
下表面上に開口部を有する第１のキャビティ、第２のキャビティ、および、該第２のキャビティ上の膜を有するミラープレートと、基板の上表面と接続するヒンジ支持ポストと、該ヒンジ支持ポストによって支持され、該ミラープレートと接続し、該ミラープレートの回転を容易にする、ヒンジ構成部品であって、該ヒンジ構成部品は、該第１のキャビティ内部に延び、該ミラープレートの回転を容易にするように構成されている、ヒンジ構成部品と、該基板の該上表面と接続する着地チップであって、該着地チップは、該ミラープレートの該基板部分における該第２のキャビティ上の該膜と接触し、該ミラープレートの回転を所定の方向にて停止させるように構成されている、着地チップとを含む空間光変調器を形成する方法であって、
該基板上の第１の犠牲材料を堆積して、第１の犠牲層を形成することと、
該第１の犠牲層をパターニングして、該第１の犠牲層において複数の穴を形成することと、
第１の材料を堆積して、該第１の犠牲層における該複数の穴において、ヒンジ支持ポストおよび着地チップを形成することと、
第２の材料を堆積して、該第１の犠牲層および該第１の材料上に第２の層を形成することと、
該第２の層をパターニングして、ヒンジ構成部品および該ヒンジ構成部品の周りの空隙を形成することと、
該第２の層上に第２の犠牲層を堆積することと、
該第２の犠牲材料をパターニングして、該ヒンジ構成部品の最上部上に第１のスペーサ、および第２のスペーサを形成することであって、該第２のスペーサから該第２のキャビティおよび該膜が該ミラープレートにおいて形成される、ことと、
該第２の犠牲材料上に第３の材料を堆積して、第３の電気機械層を形成することであって、該ミラープレートが形成される、ことと、
該第３の層をパターニングして、該ミラープレートの周りを形成することと、
該第１の犠牲材料および該第２の犠牲材料を取り除いて、該第２のキャビティおよび該第２のキャビティ上の該膜を有するミラープレートと、該基板と接続するヒンジ支持ポストと、該ヒンジ支持ポストによって支持され、該ミラープレートと接続するヒンジ構成部品と、該基板の該上表面と接続する該着地チップとを形成することと
を包含する、方法。
【発明の詳細な説明】
【技術分野】
【０００１】
本発明は空間光変調器に関する。
【背景技術】
【０００２】
過去１５年から２０年にわたり、マイクロミラーベースの空間光変調器（ＳＬＭ）技術は、ますます多くの技術的発展を経験し、ディスプレイ産業においてより多くの支持を得てきた。デバイスは、静電トルクを有するねじれヒンジの周りのアレイにおける個々のマイクロミラープレートを傾斜させることによって操作され、入射光を所定の射出方向へと偏向させる。より一般的なデジタルモード操作において、マイクロミラーにおいて、個々のミラーを選択的に回転させることによって、光が「オン」または「オフ」にされ、特定の着地地点にて機械的に停止され、偏向角度の精度を保証する。機能的なマクロアレイは、表面接触接着を克服し、ロボット工学および信頼性を保証するために、機械的な停止における弱い接触固着力、および、タイミングを制御するための高性能な静電トルクを必要とする。ディスプレイ用途における高性能な空間光変調器は、高い輝度および高いコントラスト比での動画画像を生成する。
【０００３】
動画用途における初期のＳＬＭは、映像の低い輝度および低いコントラスト比の不利益を被っていた。以前のＳＬＭの設計は、通常、ピクセルの低いアクティブ反射領域に関するフィルレシオ（例えば、それぞれのピクセルにおけるアクティブ反射領域と非アクティブ領域との間のレシオ）を有する。ＳＬＭのアレイにおけるそれぞれのピクセルの周りの大きな非アクティブ領域は、低い光結合性能および低い輝度という結果となる。そのアレイにおけるこれらの非アクティブ領域からの拡散された光は、動画画像のコントラストに悪影響を与える回折パターンを形成する。マイクロアレイベースのＳＬＭの低下されたコントラスト比の別の主なソースは、アレイにおける、入射光の照明と直角であるそれぞれのミラーの２つのストレートエッジからの拡散された光の回折である。従来の方形ミラー設計において、直交の入射光は、動作中、アレイにおけるそれぞれのミラーの直交したストレートの前縁および後縁によって直接に拡散される。その拡散された光は、回折パターンを生成し、その回折された光の多くは、映写レンズによって集められる。明るい回折パターンは、映し出された動画画像の高いコントラストを不鮮明にしてしまう。
【０００４】
マイクロミラーベースのＳＬＭの一つのタイプは、Ｔｅｘａｓ  Ｉｎｓｔｒｕｍｅｎｔｓによって開発された、Ｄｉｇｉｔａｌ  Ｍｉｒｒｏｒ  Ｄｅｖｉｃｅ（ＤＭＤ）であり、Ｈｏｒｎｂｅｃｋにて述べられている。最も最近のインプリメンテーションは、ヨークプレートの最上層における固定された剛性支持ポストを経由して吊されるマイクロミラープレートを含む。ヨークプレートはさらに、アドレス電極の上方に、ねじれヒンジの対および水平着地チップの２つの対からなる。アドレス電極上の電位によって制御されるヨークプレートおよびミラープレート上の静電力によって、両方のプレートの双方向の回転が生じる。二重プレート構造は下にある回路網およびヒンジ機構を覆う、ほぼ平面のミラー表面を提供するために用いられ、許容可能なコントラスト比を達成するための一方法である。
【０００５】
しかしながら、ヒンジヨークプレートの上方においてミラープレートを上昇させた垂直ミラー支持ポストは、ＤＭＤのコントラスト比に２つの悪影響を有する。第１に、大きな窪み（ミラー支持ポストの形成によって生じる）が、現在の設計におけるミラーの中心に存在し、入射光を拡散させ、光学的な効率が低下する。第２に、二重プレートの回転によって、ＤＭＤ表面に沿ったミラーの反射表面の水平方向への位置ずれが生じ、動作中に、マイクロミラーの水平の振動という結果になる。ミラーの水平移動は、アレイにおけるミラー間において、さらに大きいギャップが設計されることを必要とし、アクティブな反射領域に関するフィルレシオをさらに低下させる。例えば、各方向上のミラーの回転が１２度である場合、ミラーとヨークとの間において、１ミクロン毎に離れていくと、各方向上において、水平方向への０．２ミクロンの位置ずれという結果になる。つまり、隣接したミラー間における０．４ミクロン以上のさらなるギャップ間隔は、水平方向への位置ずれを収容するために、ミラー支持ポストの１ミクロン毎の長さに必要とされる。
【０００６】
ヨーク構造は、底部の電極およびヨークとミラーとの間における静電結合の静電効率を制限する。特に、着地位置において、電極およびヨークとミラーとの間において、角度クロスオーバー変化（ａｎｇｕｌａｒ  ｃｒｏｓｓ  ｏｖｅｒ  ｔｒａｎｓｉｔｉｏｎ）を可能にするために、高電位バイアスを必要とする。二重プレート構造は入射光を拡散させ、動画画像のコントラスト比を低下させる。
【０００７】
別の反射ＳＬＭは、アドレス回路網を含む下部の基板の上方に保持された上部光透過基板を含む。一つ以上の静電的に偏向可能な素子は、上部基板から２つのヒンジポストによって吊される。動作中、個々のミラーは選択的に偏向され、上部透過基板へ入射する光を空間的に変調するのに役立ち、次いで、光が反射され、その上部透過基板を逆方向に介する。動作ストップ部材は、ミラーが底部の制御基板を閉じてしまわないように、反射性の偏向可能な素子に付着され得る。その代わり、その動作ストップ部材は、上部透過基板に支えられ、その結果、反射する偏向可能な素子の偏向角度を制限する。
【０００８】
そのような最上部の吊り下げミラー設計において、ミラー吊り下げポストおよび機械的なストップ部材は照明の光に完全に晒され、アクティブな反射領域フィルレシオおよび光学的効率を低下させ、光の拡散を増加させる。反射ミラー表面の平滑化を制御することもまた困難であり、それは堆積されたアルミ膜とＬＰＣＶＤ窒化シリコン層との間に挟まれる。堆積フィルム品質は、反射アルミ表面の粗さを決定する。ミラーの粗さを補正するために、後の研磨はなされ得ない。
【発明の開示】
【課題を解決するための手段】
【０００９】
前述にて検討された従来技術のデバイスにおける弱点を克服するために、ディスプレイおよび印刷のための高コントラスト空間光変調器は、高い静電効率および低い表面固着制御基板を用いて、高アクティブ反射領域フィルレシオおよび非回折マイクロミラーアレイを結合することによって形成される。一局面において、本発明は、空間光変調器に関し、その空間光変調器は、反射性上表面と、伝導表面部分を有する下表面と、下表面上の開口部を有する第１のキャビティ、基板部分における第２のキャビティ、および第２のキャビティ上の膜を有する基板部分とを備えるミラープレート；上表面と、上表面と接続するヒンジ支持ポストと、ヒンジ支持ポストによって支持され、ミラープレートと接続し、ミラープレートの回転を容易にするヒンジ構成部品とを備える基板であって、ヒンジ構成部品は、第１のキャビティ内部へと延び、ミラープレートの回転を容易にするように構成されている、基板；ならびに、基板の上表面と接続する垂直着地チップであって、垂直着地チップは、ミラープレートの基板部分における第２のキャビティ上の膜と接触し、所定の方向にてミラープレートの回転を停止させるように構成されている、垂直着地チップ、を備える。
【００１０】
別の局面において、本発明は空間光変調器に関し、その空間光変調器は、複数のミラープレートの二次元アレイであって、それぞれのミラープレートが、反射性上表面と、伝導表面部分を有する下表面と、下表面上の開口部を有する一つ以上の第１のキャビティ、基板部分における一つ以上の第２のキャビティ、および第２のキャビティ上の膜を有する基板部分とを備える、複数のミラープレートの二次元アレイ；上表面と、上表面上の複数の電極と、上表面上の複数のヒンジ支持ポストと、ヒンジ支持ポストのうちの一つによってそれぞれ支持される複数のヒンジ構成部品とを備える基板であって、ヒンジ構成部品のそれぞれは、二次元アレイにおけるミラープレートのうちの一つの基板部分における第１のキャビティのうちの一つの内部に延び、ミラープレートの回転を容易にするように構成されている、基板；ならびに、基板の上表面と接続する複数の垂直着地チップであって、電圧が、基板上の電極のうちの一つと、ミラープレートの下表面における伝導表面部分との間に印加される場合に、垂直着地チップのそれぞれは、ミラープレートのうちの一つの基板部分における第２のキャビティ上の膜のうちの一つと接触し、一つ以上の所定の方向にてミラープレートの回転を停止させるように構成されている、複数の垂直着地チップ、を備える。
【００１１】
さらに別の局面において、本発明は、空間光変調器を形成する方法に関し、その空間光変調器は、下表面上の開口部を有する第１のキャビティ、第２のキャビティ、および、第２のキャビティ上の膜を有するミラープレートと、基板の上表面と接続するヒンジ支持ポストと、ヒンジ支持ポストによって支持され、ミラープレートと接続し、ミラープレートの回転を容易にする、ヒンジ構成部品であって、ヒンジ構成部品は、第１のキャビティ内部に延び、ミラープレートの回転を容易にするように構成されている、ヒンジ構成部品と、基板の上表面と接続する着地チップであって、着地チップは、ミラープレートの基板部分における第２のキャビティ上の膜と接触し、ミラープレートの回転を所定の方向にて停止させるように構成されている、着地チップとを含む。
【００１２】
その方法は、基板上の第１の犠牲材料を堆積して、第１の犠牲層を形成することと、第１の犠牲層をパターニングして、第１の犠牲層において複数の穴を形成することと、第１の材料を堆積して、第１の犠牲層における複数の穴において、ヒンジ支持ポストおよび着地チップを形成することと、第２の電気機械材料を堆積して、第１の犠牲層および第１の材料上の第２の電気機械層を形成することと、第２の電気機械層をパターニングして、ヒンジ構成部品およびヒンジ構成部品の周りの空隙を形成することと、第２の電気機械層上の第２の犠牲層を堆積することと、第２の犠牲材料をパターニングして、ヒンジ構成部品の最上部上に第１のスペーサおよび第２のスペーサを形成することであって、第２のスペーサから、第２のキャビティおよび膜がミラープレートにおいて形成される、ことと、第２の犠牲層を硬化することと、第２の犠牲材料上に第３の電気機械材料を堆積して、第３の電気機械層を形成することであって、第３の電気機械層からミラープレートが形成される、ことと、第３の電気機械層をパターニングして、ミラープレートの周りを形成することと、第１の犠牲材料および第２の犠牲材料を取り除いて、第２のキャビティおよび第２のキャビティ上の膜、基板と接続するヒンジ支持ポスト、ヒンジ支持ポストによって支持され、ミラープレートと接続するヒンジ構成部品、ならびに、基板の上表面と接続する着地チップ、を有するミラープレートを形成することとを包含する。
【００１３】
そのシステムのインプリメンテーションは、以下の一つ以上を含み得る。ミラープレートの基板部分における第１のキャビティとそれに関連するヒンジ構成部品は、間隔がそのヒンジ構成部品と第１のキャビティにおける表面との間において形成されて、ミラープレートの回転を可能にするように構成され得る。空間光変調器はさらに基板の上表面上の電極をさらに含み得る。電圧が、基板上の電極と、ミラープレートの下表面における伝導表面部分との間において印加される場合に、垂直着地チップは、ミラープレートの基板部分における第２のキャビティ上の膜と接触し得て、所定の方向にてミラープレートの回転を停止させるように構成され得る。ミラープレートが、電圧によって生成された静電力によって引き出され、垂直着地チップによって停止された場合、ミラープレートの基板部分における第２のキャビティ上の膜は垂直着地チップによって変形されるように構成されている。膜は、変形を復元するように構成され得、垂直着地チップに対して弾性力を生成するように構成され得る。膜は、ミラープレートの基板部分における第２のキャビティを部分的に覆い、ミラープレートの下表面において、第２のキャビティにおける開口部を残すことができる。膜は、チタニウム、タンタル、タングステン、モリブデン、それらの合金、シリコン、アモルファスシリコン、ポリシリコン、および窒化シリコンより選択される材料を含み得る。ミラープレートの基板部分の第２のキャビティ上の膜は、ミラープレートの基板部分と実質的に同一の材料を含み得る。基板は、二つのヒンジ構成部品であって、それぞれがヒンジ支持ポストによって支持される二つのヒンジ構成部品を備え得、ヒンジ構成部品のそれぞれが、ミラープレートの基板部分における第１のキャビティ内部に延びるように構成され得る。ミラープレートは、二つの第１のキャビティプレートに配置された二つのヒンジ構成部品によって規定された軸の周りを回転するように構成されている。基板は、上表面上の第１の電極および第２の電極を備え得る。ミラープレートの基板部分は、それぞれ膜によって少なくとも部分的に覆われた二つ以上の第２のキャビティを備え得る。第１の電圧が第１の電極とミラープレートの下表面における伝導表面部分との間に印加される場合、ミラープレートは、第１の方向に回転するように構成され得、第２の電圧が第２の電極と、ミラープレートの下表面における伝導表面部分との間に印加される場合、ミラープレートは、第２の方向に回転するように構成されている。垂直着地チップの第１のチップは、第２のキャビティの一つのキャビティ上の第１の膜と接触することによってミラープレートが第１の方向に回転するのを停止させるように構成され得、垂直着地チップの第２のチップは、第２のキャビティの別のキャビティ上の第２の膜と接触することによってミラープレートが第２の方向に回転するのを停止させるように構成され得る。ミラープレート、ヒンジ構成部品、またはヒンジ支持ポストは、アルミニウム、シリコン、アモルファスシリコン、ポリシリコン、およびアルミニウム−シリコン合金より選択された材料を含み得る。
【００１４】
実施形態は以下の利点の一つ以上を含み得る。開示されたシステムおよび方法は、高アクティブ反射領域フィルレシオを有する空間光変調器（ＳＬＭ）を提供する。ねじれヒンジの対はキャビティ内部にまで延びて、ミラープレートの下部分の一部となり、反射表面の下において最短距離を保持して、所定の角度回転のための間隔のみを可能にする。アレイ中のミラープレートは、二つのポストによって支持されるねじれヒンジの対によって吊されて、ミラープレートがミラープレートにおける軸に沿って回転することを可能にする。クロスオーバー変化の間の、個々のミラーの水平方向への位置ずれを取り除くことによって、アレイにおける隣接したミラー間の間隔は著しく減少し、その結果、非常に高アクティブ反射領域フィルレシオのＳＬＭとなる。
【００１５】
開示されたシステムおよび手段は、ミラー基板の固着を防ぎ、マイクロミラーの応答時間を増加させる方法を提供する。垂直着地チップの対は制御基板の表面上に形成される。これらの垂直着地チップは、機械的停止の間、ミラーの接触領域を減少し、機械的着地動作の信頼性を改善する。より重要なことに、これらの着地チップは、ミラーアレイの共通バイアス３０３上において、シャープな双極性パルス電圧を印加することによってミラー着地の分離を可能にする。双極性パルスによって生成された電気機械的通電の運動エネルギーは、変形されたミラーヒンジおよび変形された着地チップにおいて保存された弾性ゆがみエネルギーに変換され、後に解放され、着地チップから分離するミラーを跳ね上げ、反発させる。
【００１６】
着地チップとミラープレートとの間のスティクションはさらに、ミラープレートの下側に形成されたキャビティ上のブリッジされた膜によって低下され得る。ミラープレートが、ミラープレートの低い伝導表面と基板上の一つ以上の電極との間において印加される電圧の下での電気力によって駆動される場合、着地チップは膜と接触して、ミラープレートを所定の方向にて停止させる。ミラープレート上に生じた電気力は、膜においてゆがみを生成し、膜において、それにより機械的電位エネルギーを保存する。機械的ポテンシャルエネルギーは解放されて、電圧が取り除かれるか、反転される場合、反発力を生成する。
【００１７】
さらに、膜とマイクロ着地チップとの間における表面接触固着は、デバイス構造内の反スティクション層をコーティングすることによって著しく減少される。ミラープレートはそれゆえ、迅速に、ある方向から別の方向へと傾斜し得る。システム応答時間は改善される。
【００１８】
開示されたシステムおよび方法は、動画表示および印刷物、ディスプレイ、印刷、マスクレス・フォトリソグラフィにおけるフォトパターニング、ならびに、異なる光ファイバチャネル間において光信号を導くフォトニックスイッチなど、広範な用途と互換性を有する。
【００１９】
本発明は複数の実施形態を参照して具体的に示され、記載されているが、形態および詳細における様々な変更が本発明の精神および範囲から逸脱することなくなされ得ることを当業者は理解する。
【００２０】
本発明は、さらに、以下の手段を提供する。
【００２１】
（項目１）
反射性上表面と、伝導表面部分を有する下表面と、該下表面上の開口部を有する第１のキャビティ、基板部分における第２のキャビティ、および該第２のキャビティ上の膜を有する基板部分とを備えるミラープレートと、
上表面と、該上表面と接続するヒンジ支持ポストと、該ヒンジ支持ポストによって支持され、該ミラープレートと接続し、該ミラープレートの回転を容易にするヒンジ構成部品とを備える基板であって、該ヒンジ構成部品は、該第１のキャビティ内部へと延び、該ミラープレートの回転を容易にするように構成されている、基板と、
該基板の該上表面と接続する垂直着地チップであって、該垂直着地チップは、該ミラープレートの該基板部分における該第２のキャビティ上の該膜と接触し、所定の方向にて該ミラープレートの回転を停止させるように構成されている、垂直着地チップと
を備える、空間光変調器。
【００２２】
（項目２）
前記基板の前記上表面上の電極をさらに備える、項目１に記載の空間光変調器。
【００２３】
（項目３）
電圧が、前記基板上の電極と、前記ミラープレートの前記下表面における前記伝導表面部分との間において印加される場合に、前記垂直着地チップは、該ミラープレートの前記基板部分における前記第２のキャビティ上の前記膜と接触し、所定の方向にて該ミラープレートの回転を停止させるように構成されている、項目２に記載の空間光変調器。
【００２４】
（項目４）
前記ミラープレートが、前記電圧によって生成された静電力によって引き出され、前記垂直着地チップによって停止された場合、該ミラープレートの前記基板部分における前記第２のキャビティ上の前記膜は、前記垂直着地チップによって変形されるように構成されている、項目３に記載の空間光変調器。
【００２５】
（項目５）
前記膜は、前記変形を復元するように構成され、前記垂直着地チップに対して弾性力を生成するように構成されている、項目４に記載の空間光変調器。
【００２６】
（項目６）
前記膜は、前記ミラープレートの前記基板部分における前記第２のキャビティを部分的に覆い、該ミラープレートの前記下表面において、該第２のキャビティにおける開口部を残す、項目１に記載の空間光変調器。
【００２７】
（項目７）
前記膜は、チタニウム、タンタル、タングステン、モリブデン、それらの合金、シリコン、アモルファスシリコン、ポリシリコン、および窒化シリコンより選択される材料を含む、項目１に記載の空間光変調器。
【００２８】
（項目８）
前記ミラープレートの前記基板部分の前記第２のキャビティ上の前記膜は、該ミラープレートの該基板部分と実質的に同一の材料を含む、項目１に記載の空間光変調器。
【００２９】
（項目９）
前記第２のキャビティ上の前記膜および前記ヒンジ構成部品は、実質的に同一の材料組成を含む、項目１に記載の空間光変調器。
【００３０】
（項目１０）
前記第２のキャビティ上の前記膜および前記ヒンジ構成部品は、前記ミラープレートの前記基板部分における材料組成とは異なる材料組成を含む、項目９に記載の空間光変調器。
【００３１】
（項目１１）
前記基板は、二つのヒンジ支持ポスト、およびそれぞれが該ヒンジ支持ポストのうちの一つによって支持される二つのヒンジ構成部品を備え、該ヒンジ構成部品のそれぞれが、前記ミラープレートの前記基板部分における、対応する第１のキャビティ内部に延びるように構成されている、項目１に記載の空間光変調器。
【００３２】
（項目１２）
前記ミラープレートは、前記対応する第１のキャビティに配置された前記二つのヒンジ構成部品によって規定された軸の周りを回転するように構成されている、項目１１に記載の空間光変調器。
【００３３】
（項目１３）
前記基板は、前記上表面上の第１の電極および第２の電極を備える、項目１に記載の空間光変調器。
【００３４】
（項目１４）
前記ミラープレートの前記基板部分は、それぞれ膜によって少なくとも部分的に覆われた二つの第２のキャビティを備える、項目１３に記載の空間光変調器。
【００３５】
（項目１５）
第１の電圧が前記第１の電極と、前記ミラープレートの前記下表面における前記伝導表面との間に印加される場合、該ミラープレートは、第１の方向に回転するように構成され、第２の電圧が前記第２の電極と、該ミラープレートの該下表面における該伝導表面部分との間に印加される場合、該ミラープレートは、第２の方向に回転するように構成されている、項目１４に記載の空間光変調器。
【００３６】
（項目１６）
前記垂直着地チップの第１のチップは、前記第２のキャビティのうちの第１のキャビティ上の第１の膜と接触することによって前記ミラープレートが前記第１の方向に回転するのを停止させるように構成され、該垂直着地チップの第２のチップは、該第２のキャビティのうちの第２のキャビティ上の第２の膜と接触することによって該ミラープレートが前記第２の方向に回転するのを停止させるように構成されている、項目１５に記載の空間光変調器。
【００３７】
（項目１７）
前記ミラープレート、前記ヒンジ構成部品、または前記ヒンジ支持ポストは、アルミニウム、シリコン、アモルファスシリコン、ポリシリコン、およびアルミニウム−シリコン合金より選択された材料を含む、項目１に記載の空間光変調器。
【００３８】
（項目１８）
複数のミラープレートの二次元アレイであって、各ミラープレートが、反射性上表面と、伝導表面部分を有する下表面と、該下表面上の開口部を有する一つ以上の第１のキャビティ、基板部分における一つ以上の第２のキャビティ、および該第２のキャビティ上の膜を有する基板部分とを備える、複数のミラープレートの二次元アレイと、
上表面と、該上表面上の複数の電極と、該上表面上の複数のヒンジ支持ポスト、該ヒンジ支持ポストのうちの一つによってそれぞれ支持される複数のヒンジ構成部品とを備える基板であって、該ヒンジ構成部品のそれぞれは、該二次元アレイにおける該ミラープレートのうちの一つの該基板部分における該第１のキャビティのうちの一つ内部へと延び、該ミラープレートの回転を容易にするように構成されている、基板と、
該基板の該上表面と接続する複数の垂直着地チップであって、該基板上の電極のうちの一つと、該ミラープレートの該下表面における該伝導表面部分との間に電圧が印加される場合に、該垂直着地チップのそれぞれは、該ミラープレートのうちの一つの該基板部分における該第２のキャビティ上の該膜のうちの一つと接触し、所定の方向にて該ミラープレートの回転を停止させるように構成されている、複数の垂直着地チップと
を備える、空間光変調器。
【００３９】
（項目１９）
前記複数の電極のうちの一つ以上の電極は前記ミラープレートのそれぞれの下に配置され、前記電圧が、前記基板上の電極のうちの一つと、該ミラープレートの前記下表面における前記伝導表面部分との間に印加される場合に、該ミラープレートが回転する、項目１８に記載の空間光変調器。
【００４０】
（項目２０）
前記複数の電極は、前記二次元アレイにおける前記ミラープレートのうちの一つに対応する前記上表面上の第１の電極および第２の電極を備え、該ミラープレートは、第１の電圧が、該第１の電極と、該ミラープレートの前記下表面における前記伝導表面部分との間に印加される場合に、第１の方向に回転するように構成され、第２の電圧が、該第２の電極と、該ミラープレートの該下表面における前記伝導表面部分との間に印加される場合に、第２の方向に回転するように構成されている、項目１８に記載の空間光変調器。
【００４１】
（項目２１）
前記膜は、チタニウム、タンタル、タングステン、モリブデン、それらの合金、シリコン、アモルファスシリコン、ポリシリコン、および窒化シリコンより選択される材料を含む、項目１８に記載の空間光変調器。
【００４２】
（項目２２）
前記第２のキャビティ上の前記膜および前記ヒンジ構成部品は、実質的に同一の材料組成を含む、項目１８に記載の空間光変調器。
【００４３】
（項目２３）
前記第２のキャビティ上の前記膜および前記ヒンジ構成部品は、前記ミラープレートの前記基板部分における材料組成とは異なる材料組成を含む、項目２２に記載の空間光変調器。
【００４４】
（項目２４）
下表面上に開口部を有する第１のキャビティ、第２のキャビティ、および、該第２のキャビティ上の膜を有するミラープレートと、基板の上表面と接続するヒンジ支持ポストと、該ヒンジ支持ポストによって支持され、該ミラープレートと接続し、該ミラープレートの回転を容易にする、ヒンジ構成部品であって、該ヒンジ構成部品は、該第１のキャビティ内部に延び、該ミラープレートの回転を容易にするように構成されている、ヒンジ構成部品と、該基板の該上表面と接続する着地チップであって、該着地チップは、該ミラープレートの該基板部分における該第２のキャビティ上の該膜と接触し、該ミラープレートの回転を所定の方向にて停止させるように構成されている、着地チップとを含む空間光変調器を形成する方法であって、
該基板上の第１の犠牲材料を堆積して、第１の犠牲層を形成することと、
該第１の犠牲層をパターニングして、該第１の犠牲層において複数の穴を形成することと、
第１の材料を堆積して、該第１の犠牲層における該複数の穴において、ヒンジ支持ポストおよび着地チップを形成することと、
第２の材料を堆積して、該第１の犠牲層および該第１の材料上に第２の層を形成することと、
該第２の層をパターニングして、ヒンジ構成部品および該ヒンジ構成部品の周りの空隙を形成することと、
該第２の層上に第２の犠牲層を堆積することと、
該第２の犠牲材料をパターニングして、該ヒンジ構成部品の最上部上に第１のスペーサ、および第２のスペーサを形成することであって、該第２のスペーサから該第２のキャビティおよび該膜が該ミラープレートにおいて形成される、ことと、
該第２の犠牲材料上に第３の材料を堆積して、第３の電気機械層を形成することであって、該ミラープレートが形成される、ことと、
該第３の層をパターニングして、該ミラープレートの周りを形成することと、
該第１の犠牲材料および該第２の犠牲材料を取り除いて、該第２のキャビティおよび該第２のキャビティ上の該膜を有するミラープレートと、該基板と接続するヒンジ支持ポストと、該ヒンジ支持ポストによって支持され、該ミラープレートと接続するヒンジ構成部品と、該基板の該上表面と接続する該着地チップとを形成することと
を包含する、方法。
【発明を実施するための最良の形態】
【００４５】
様々な図面における類似した参照番号および記号表示は同様の要素を示す。
【００４６】
表示および印刷のための高コントラスト空間光変調器（ＳＬＭ）は、高アクティブ反射領域フィルレシオと、高い静電効率および低い表面接着制御基板を有する非回折マイクロアレイとを結合することによって形成される。本発明の一実施形態に従った空間光変調器の一部の断面図が図１ａに示され、入射角θｉで、照明４０１の志向性光４１１は、マイクロミラーアレイの垂線方向に対して、θｏの角度にて偏向される（参照番号４１２）。デジタル動作モードにおいて、この構成は通常、「オン」位置と呼ばれる。図１ｂは、空間光変調器の同様の部分の断面図であるが、ミラープレートは、ヒンジ１０６のもう一方の側の下にある別の電極に向かって回転されている。同様の志向性光４１１は参照番号４１２の方向へ偏向され、より大きな角度のθｉおよびθｏとなるが、それは、ミラープレート１０２の面積、およびミラー１０３の下部表面と着地チップ２２２との間の空隙間隔によってあらかじめ決められており、次いで、光吸収体４０２へ射出される。
【００４７】
本発明の別の実施形態に従い、高コントラストＳＬＭは三つの主要部分から構成される。それらは、制御回路網の底部分、複数のステップ電極、マイクロ着地チップ、およびヒンジ支持ポストの中間部分、ならびに、隠れたねじれヒンジおよびキャビティを有する複数のミラーに覆われた上部分である。
【００４８】
底部分は、アドレス回路網を有するウエハ基板３００であり、ＳＬＭのマイクロミラーアレイにおける各ミラーの動作を選択的に制御する。アドレス回路網は、メモリセルのアレイ、および通信信号のためのワード線／ビット線インターコネクトを備える。シリコンウエハ基板上の電気アドレス回路網は、標準のＣＭＯＳ技術を用いて形成され得、低密度メモリアレイと類似する。
【００４９】
高コントラストＳＬＭの中間部分は、アレイ状のステップ電極２２１、着地チップ２２２、ヒンジ支持ポスト１０５、および支持フレーム２０２によって形成される。本発明におけるマルチレベルステップ電極２２１は、角度クロスオーバー変化の間、静電トルクの静電結合効率を改善するように設計されている。電極２２１表面をヒンジ１０６領域付近に上昇させることによって、ミラープレート１０３と電極２２１との間の空隙間隔は事実上狭くなる。静電引力はミラーと電極との間における距離の２乗に反比例するゆえに、この効果は、ミラーがその着地位置にまで傾斜される場合に、明らかになる。アナログモードにおいて動作している場合、高効率静電結合は、空間光変調器における個々のマイクロミラーの傾斜角度のより精密で安定した制御を可能にする。デジタルモードにおいては、動作するために、アドレス回路網におけるより低い駆動電位を必要とする。第１のレベル電極２２１と第２のものとの高さの差は０．２ミクロンから３ミクロンの間にて変化し得、第１のレベル電極とミラープレートとの間の空隙の相対的な高さに依存する。
【００５０】
制御基板の表面上において、固定された垂直着地チップ２２２ａおよび２２２ｂの対は、形成時における単純さのために、第２のレベル電極２２１と同じ高さを有するように設計されている。固定された垂直チップ２２２ａおよび２２２ｂの対は二つの機能を有する。垂直マイクロチップは、所定の角度において、それぞれの角度クロスオーバー変化を精密に着地させるために、ミラーに対して繊細な機械的着地を提供する。制御基板の表面上に固定された着地チップ２２２を追加することは、ロボット工学動作を向上させ、デバイスの信頼性を延ばす。これらの垂直着地チップ２２２の第２の機能は、ミラー１０３とその接触ストップ部材２２２との間の分離を容易にすることを可能にするメカニズムを提供していることであり、ＳＬＭのデジタル動作間における接触表面固着を効果的に取り除く。例えば、角度クロスオーバー変化を開始するために、シャープな双極性パルス電圧Ｖｂはバイアス電極３０３に印加され、その電極は、通常は、ねじれヒンジ１０６および支持ポスト１０５を介して、それぞれのミラープレート１０３に接続されている。双極性バイアスＶｂによって確立された電位は、ヒンジ１０６の両側において静電力を向上させる。この強化は、空隙間隔における大きな差のために、着地位置における二つの側においては同等ではない。ミラープレート１０３ａおよび１０３ｂの下表面上のバイアス電圧Ｖｂの増加はミラー１０２が回転する方向に、それほど影響を与えないが、ミラープレート１０２全体における静電力Ｆのシャープな増加は、電気機械的な運動エネルギーを、変形されたミラーヒンジ１０６および変形されたミラー着地チップ２２２ａまたは２２２ｂに保存された弾性ひずみエネルギーへと変換することによってダイナミックな励振を提供する。双極性パルスが共通のバイアスＶｂ上に解放された後、変形された着地チップ２２２ａまたは２２２ｂおよび変形されたミラーヒンジ１０６の弾性ひずみエネルギーは、ミラープレートが着地チップ２２２ａまたは２２２ｂから跳ね上がり、反発するので、ミラープレートの運動エネルギーへと変換し戻される。静止状態に対するミラープレートのこの摂動は、ある状態から別の状態へのミラープレート１０３の角度クロスオーバー変化を、より小さいアドレス電位Ｖａにて可能にする。
【００５１】
制御基板３００の表面上のヒンジ支持ポスト２０２はミラー支持ポスト１０５の対の機械的安定性を強化するように設計され、静電電位を局所的に保持する。簡便さのために、支持フレーム２０２の高さは、第１のレベル電極２２１と同じであるように設計されている。ミラープレート１０３の固定されたサイズを用いて、ヒンジ支持ポスト１０５の対の高さはマイクロミラーアレイの最大偏向角度θを決定する。
【００５２】
高コントラストＳＬＭの上部分は、ミラープレート１０３の上表面上の平坦な光反射層１０２および下部分にあるキャビティの下のねじれヒンジ１０６の対を有するマイクロミラーアレイによって完全に覆われる。ミラープレート１０３におけるねじれヒンジ１０６の対は、ミラープレート１０３の一部として形成され、反射表面下において、最短距離を保持され、所定の角度回転に対する隙間のみを可能にする。ヒンジ回転軸１０６と上反射表面１０２との間の距離を最小化することによって、空間光変調器は、角度変化の間、それぞれのミラーの水平方向への位置ずれを効果的に取り除く。本発明に従うと、ＳＬＭのアレイにおける隣接したミラー間の隙間は、０．２ミクロン未満にまで低下され得、現在における、マイクロミラーアレイの最高のアクティブ反射領域フィルレシオを達成している。
【００５３】
マイクロ偏向デバイスに用いられる材料は、好適には、適切な硬度、弾力性、および応力を有し、導電性があり、安定したものである。理想的には、電気機械的な材料などの単一の材料は、ミラープレート１０３の剛性、および破損することなくたわむのに十分な強度を有するねじれヒンジ１０６の柔軟性の両方を保証する。さらに、マイクロミラーアレイを構築することに用いられる全ての材料は、制御基板における既成の回路網を破損することのない、通常の形成工程の温度である、４００℃の下で、処理される必要がある。
【００５４】
図１ａおよび図１ｂに示されたインプリメンテーションにおいて、ミラープレート１０２は３つの層を含む。反射最上層１０３ａは、アルミニウムからなり、通常、６００オングストロームの厚さである。中間層１０３ｂは、例えば、アモルファスシリコンなどのシリコンベース材料からなり、通常、２０００〜５０００オングストロームの厚さである。底層１０３ｃは、チタニウムからなり、通常、６００オングストロームの厚さである。図１ａおよび図１ｂに見られ得るように、ヒンジ１０６は、底層１０３ｃの一部としてインプリメントされ得る。ミラープレート１０２は以下で記載されるように形成され得る。
【００５５】
本発明の別の実施形態に従い、ミラープレート１０３、ねじれヒンジ１０６、および支持ポスト１０５の材料は、アルミニウム、シリコン、ポリシリコン、アモルファスシリコン、およびアルミニウム−シリコン合金、ならびに、それらの合金などの、アルミニウム−シリコンベースの電気機械材料からなる。堆積は、５００℃以下の温度の制御されたチャンバにおいて、アルミニウムまたはシリコンのいずれか、あるいはアルミニウムおよびシリコンの両方を含む単一の標的をＰＶＤマグネトロンスパッタリングすることによって達成される。同様の構造層もまた、ＰＥＣＶＤによって形成され得る。
【００５６】
本発明の別の実施形態に従い、ミラープレート１０３、ねじれヒンジ１０６、および支持ポスト１０５の材料は、チタニウム、タンタル、タングステン、モリブデン、それらのシリコン化合物、およびそれらの合金などの耐熱金属ベースの電気機械材料からなる。耐熱金属およびそれらのシリコン化合物は、ＣＭＯＳ半導体処理と互換性を有し、比較的良い機械的属性を有する。これらの材料は、ＰＶＤ、ＣＶＤ、およびＰＥＣＶＤによって堆積され得る。光反射率は、アルミニウム、金、またはそれらの合金など（ミラープレート１０３の表面上の用途に依存する）の、金属の薄いフィルム層１０２をさらにＰＶＤ堆積することによって向上され得る。
【００５７】
偏向された動画画像の高コントラスト比を達成するために、マイクロミラーアレイから任意の拡散された光は低下されるべきであるか、または取り除かれるべきである。最も一般的な干渉は、個々のミラーの前縁および後縁から照明が拡散されることによって生じる回折パターンに由来する。その回折の問題に対する解決策は、回折パターンの強度を弱め、それぞれのピクセルの非アクティブ領域からの拡散された光を、投射瞳（ｐｒｏｊｅｃｔｉｏｎ  ｐｕｐｉｌ）から離れた、異なる方向に向けることである。一つの方法は、４５度の入射角４１１を、方形ミラー１０２ピクセルの縁へ向けることであり、それは時に、斜め（ｄｉａｇｏｎａｌ）ヒンジ、または斜め照明構成と呼ばれる。図２は、斜め照明システムを用いたそれぞれ方形のミラー１０２を有するミラーアレイの一部の最上部を示す斜視図である。アレイにおけるミラーのヒンジ１０６は、ミラーの二つの対向する隅に沿って斜め方向に組み立てられ、照明の光４１１と直角に組み立てられている。斜めヒンジ軸を有する方形ミラーの利点は、前縁および後縁からの拡散された光を４５度、投射瞳４０３から離れて偏向する能力である。不利な点は、ＳＬＭの縁に対して、投射（ｐｒｏｊｅｃｔｉｏｎ）プリズムアセンブリを傾斜させる必要があることである。従来の長方形のＴＩＲプリズムシステムが、それぞれのミラー１０２によって選択された、「オン」の光と「オフ」の光を分離するために用いられる場合、斜め照明は低い光結合効率を有する。ねじれた集光スポットは、全てのアクティブピクセルアレイを覆うために、長方形のマイクロミラーアレイ表面のサイズよりも大きい照明を必要とする。より大きな長方形ＴＩＲプリズムは投写ディスプレイのコスト、サイズ、および重さを増加させる。
【００５８】
斜め照明構成を用いた投射システムのための制御回路網基板の一部の最上部の斜視図が図３に示される。ステップ電極２２１の対は斜めに配置され、ミラープレート１０３への静電結合の静電効率を改善する。二つのマイクロチップ２１１ａおよび２１１ｂは、ミラー１０３の機械的着地のための着地ストップ部材として動作し、傾斜角度θの精度を保証し、接触スティクションを克服する。高バネ定数の材料からなり、これらのマイクロチップ２２２ａおよび２２２ｂは着地バネとして動作し、ミラーが閉じた（ｓｎａｐ  ｄｏｗｎ）場合に接触領域を減少させる。二段ステップ電極２２１の縁におけるこれらのマイクロチップ２２２の第２の機能はそれらのバネ効果であり、チップ自体をミラープレート１０３から分離する。シャープな双極性パルス電位Ｖｂが、ミラーアレイの共通バイアス３０３を介してミラー１０３に印加される場合、ミラープレート１０３全体の静電力Ｆのシャープな増加は、電気機械的運動エネルギーを、変形されたミラーヒンジ１０６に保存された弾性ひずみエネルギーへと変換することによってダイナミックな励振を提供する。弾性ひずみエネルギーは、プレートが着地チップ２２２から跳ね上がり、反発するので、ミラープレート１０３の運動エネルギーへと逆に変換される。
【００５９】
ＳＬＭにおけるミラーの直線型縁または角型縁の周期的アレイは、固定された角度にて照明４１１を拡散させることによって投射された画像のコントラストを低下させる傾向がある回折パターンを生成する。アレイにおけるミラーの曲線（ｃｕｒｖａｔｕｒｅ）型の前縁および後縁は、ミラーの縁において、照明４１１の様々な拡散角度のために、より弱い回折パターンを生成する。本発明の別の実施形態に従い、直角照明光学システムを維持する一方で、投射瞳への回折強度の低下は、長方形ミラーの直線または固定された角度の角型縁を、反対の凹部および拡張部を有する、少なくとも一つまたは一連の曲線型前縁および後縁と置き換えることである。入射照明４１１と直角である前縁および後縁における曲線を形成することは、回折強度を弱め、投射システムに直接回折される拡散光の大部分を減少させる。
【００６０】
直角照明は、高い光学システム結合効率を有し、より安い費用、より小さなサイズ、およびより明るいＴＩＲプリズムを必要とする。しかしながら、ミラーの前縁および後縁の両方から拡散された光は、投射瞳４０３に直線的に拡散されるゆえに、ＳＬＭのコントラスト比を低下する回折パターンを生成する。図４は、直角照明構成を用いた投射システムのための長方形ミラーを用いたミラーアレイの一部の最上部の斜視図を示す。ねじれヒンジ１０６は、ミラーの前縁および後縁と平行しており、照明４１１の光に対して直角である。それゆえ、ＳＬＭのミラーピクセルは、直角に照明される。図４において、アレイにおけるそれぞれのミラーは、前縁の拡張部および後縁の凹部において、一連の曲線を有する。その原理とは、曲線縁が拡散された光の回折強度を弱め、さらに、光投射瞳４０３から離れ、様々な角度において、拡散された光の大部分を回折するというものである。それぞれのミラーの前縁および後縁の曲率半径ｒは、選択された曲線の数に依存して変化し得る。曲率半径ｒが小さければ小さいほど、回折低下の効果はより顕著になる。回折低下の効果を最大にするために、本発明の別の実施形態に従い、一連の小さい曲率半径ｒは、アレイにおけるそれぞれのミラーの前縁および後縁を形成するように設計される。曲線の数は、ミラーピクセルのサイズに依存し得、１０ミクロン平方のミラーピクセルでは、それぞれの前縁および後縁上にて２〜４の曲線があり、現在の製造能力の範囲内で、低い回折としての最適な結果を提供する。
【００６１】
図５は、直角照明４１１構成を用いた投射システムのための制御回路網基板３００の一部の最上部を示す斜視図である。従来の平坦な電極とは異なり、ヒンジ軸付近の制御基板３００の表面の上方に隆起している二段ステップの電極２２１は、平面ミラープレート１０３と底部の電極２２１との間の実効的な空隙間隔を狭め、ミラープレート１０３の静電結合の静電効率を著しく向上する。ステップ電極２２１に対するレベルの数は１〜１０の間で変化し得る。しかしながら、ステップ電極２２１に対するレベルの数が大きいほど、デバイスの形成はより複雑および費用のかかるものとなる。実用的な数は２〜３である。図５はまた、制御基板３００の表面と直角の方向を向いたマイクロチップ２２２からなる機械的着地のストップ部材を示す。これらのチップ２２２は、角度クロスオーバー変化の着地動作間の機械的停止を提供する。ステップ電極２２１の縁におけるマイクロチップ２２２は、接触表面固着をさらに克服するために、着地チップとして動作する。この低電圧駆動および高性能マイクロミラーアレイの設計により、マイクロミラーの全体でより大きな偏向角度（｜θ｜＞１５度）の動作を可能にし、ＳＬＭの輝度およびコントラスト比を向上させる。
【００６２】
この反射空間光変調器の別の利点は、ミラープレート１０３の下部分におけるキャビティの下にねじれヒンジ１０６を配置することによって、実現可能な最高のアクティブ反射領域フィルレシオを生成することであり、角度クロスオーバー変化の間、ミラー１０３の水平方向への位置ずれをほぼ完全に取り除く。４曲線の前縁および後縁を用いた回折強度を低下するために設計されたミラーアレイの一部の拡大背面図は、直角照明４１１構成を有する投射システムのために、図６に示される。再び、ねじれヒンジ１０６の対は、ミラーの下部分１０３の一部として二つのキャビティの下に配置され、支持フレーム２０２の最上部の上において、支持ポスト１０５の対によって支持される。ヒンジ支持ポスト１０５の対は、断面において、ねじれヒンジバー１０６の幅よりもさらに大きい幅Ｗを有する。ヒンジ１０６の軸とミラーの反射表面との間の距離は最小に保たれているゆえに、高アクティブ反射領域フィルレシオは、水平方向への位置ずれを懸念することなく、最密の個々のミラーピクセルによって達成される。本発明の一つにおいて、ミラーピクセルサイズ（ａ×ｂ）は約１０ミクロン×１０ミクロンであり、曲率半径ｒは約２．５ミクロンである。
【００６３】
図７は、ミラープレート１０３の下部分におけるキャビティの下のねじれヒンジ１０６およびそれらの支持ポスト１０５を示す、ミラープレートの一部の拡大背面図である。最適な性能を達成するために最も重要なことは、ねじれヒンジ１０６が作成されるキャビティにおいて最小の空隙Ｇを維持することである。ヒンジ１０６の寸法は、ミラー１０２のサイズに依存して変化する。本発明において、それぞれのねじれヒンジ１０６の寸法は、約０．１×０．２×３．５ミクロンであり、支持ポスト１０５は、各面が約１．０ミクロンの幅のＷを有する方形断面を有する。支持ポスト１０５の最上部の表面は、ミラープレート１０３の下部分としてのキャビティの下でもあるゆえに、そのキャビティにおける空隙Ｇは、所定の角度θにおいて、より大きなヒンジ支持ポスト１０５と接触することなく、ミラープレート１０３の角度回転を収容するのに十分高い必要がある。ミラーが、ヒンジ支持ポスト１０５と接触することなく所定の角度θを回転するためには、ねじれヒンジ１０６が配置されるキャビティの空隙は、Ｇ＝０．５×Ｗ×ＳＩＮ（θ）よりも大きくなければならず、ここでＷはヒンジ支持ポスト１０５の断面幅である。
【００６４】
図８は、一方向において１５度回転する場合における、ミラープレート１０３のねじれヒンジ１０６の周りの最小空隙間隔Ｇを示す図である。その計算は、キャビティにおけるねじれヒンジ１０６の空隙間隔ＧはＧ＝０．１３Ｗよりも大きくなければならないことを示す。方形ヒンジ支持ポスト１０５の各面の幅Ｗが１．０ミクロンである場合、キャビティにおける空隙間隔Ｇは０．１３ミクロンよりも大きいべきである。角度変化動作の間に水平方向への位置ずれがなければ、マイクロミラーアレイにおける個々のミラー間の水平間隔は０．２ミクロン未満に低下され得、本発明に従ったＳＬＭにおいて、９６％のアクティブ反射領域フィルレシオを導いた。
【００６５】
本発明の別の実施形態に従い、高コントラスト空間光変調器の形成は、標準のＣＭＯＳ技術を用いて、４つの順次のセクションに分割される。第１は、表面上の支持フレームおよび第１のレベル電極のアレイを有する制御シリコンウエハ基板を形成することであり、その基板は、そのウエハにおけるアドレス回路網の中のメモリセルと接続され、低密度メモリアレイと類似する。第２は、制御基板の表面上において、複数の第２のレベル電極、複数のマイクロ着地チップ、および複数のヒンジ支持ポストを形成することである。第３は、支持ポストのそれぞれの対の上に隠れたヒンジを有する複数のミラーを形成することである。最後に、形成されたウエハは、残りの犠牲材料を最終的に取り除く前に、個々の空間光変調デバイスのダイに分離される。
【００６６】
高コントラスト空間光変調器の形成プロセスフロー図の一つの好適な実施形態は図９に示される。形成プロセスは、共通の半導体技術を用いた制御基板として、複数のメモリセルおよび信号を通信するためのワード線／ビット線インターコネクト構造を有するＣＭＯＳ回路網ウエハを形成することから始まる（参照番号８１０）。複数の第１のレベル電極および支持フレームは、制御基板におけるアドレスノードを開放（ｏｐｅｎｉｎｇ  ｕｐ）する回路網のパッシベーション層を介して複数のビアをパターニングすることによって形成される（参照番号８２０）。続く電気機械層に対する接着を向上させるために、ビアおよび接触開口部は、２０００ワットのＲＦ、または２トールの全圧のマイクロ波プラズマ（４０：１：５の比率にて、Ｏ２、ＣＦ４、およびＨ２Ｏガスの混合物、５分以下で、約２５０℃の温度にて）にさらされる。電気機械層は、選択された充てんビアの材料に依存して、物理気相成長法（ＰＶＤ）またはプラズマ化学気相成長法（ＰＥＣＶＤ）によって堆積され、制御基板の表面上において電極層を形成する（参照番号８２１）。電気機械層はパターニングされ、異方性エッチングされ、複数の電極および複数の支持フレームを形成する（参照番号８２２）。部分的に形成されたウエハはテストされ（参照番号８２３）、さらなる処理に進む前に、電気的な機能性が確かめられる。
【００６７】
本発明の好適な実施形態に従い、電気機械層は、アルミニウムメタライゼーションであり、それは、純アルミニウム、チタニウム、タングステン、モリブデン膜、Ａｌ／ポリＳｉ複合材料、Ａｌ−Ｃｕ合金、またはＡｌ−Ｓｉ合金の形態をとり得る。これらのメタライゼーションのそれぞれは僅かに異なるエッチング特性を有する一方で、それらは全て、Ａｌのプラズマエッチングにおいて類似した化学的性質にてエッチングされ得る。本発明において、二段プロセスが実行され、アルミニウムメタライゼーション層を異方性エッチングする。第１に、ウエハは誘導結合プラズマにおいてエッチングされ、同時に、それぞれ、１００ｓｃｃｍ、２０ｓｃｃｍ、および２０ｓｃｃｍのフローレートにて、ＢＣｌ３、Ｃｌ２、およびＡｒの混合物を流す。動作圧力は、１０〜５０ｍトールの範囲であり、誘導結合プラズマのバイアス電力は３００ワットであり、ソース電力は１０００ワットである。エッチングプロセスの間、ウエハは、１トールの圧力にて、２０ｓｃｃｍの背面のヘリウムガスの流れを用いて冷却される。Ａｌパターンは、エッチングチャンバから周囲空気へと単純には取り除かれ得ないゆえに、Ａｌ表面をクリーニングおよびパッシベーションするために、第２の酸素プラズマ処置のステップが実行されなければならない。パッシベーションプロセスにおいて、部分的に形成されたウエハの表面は、２０００ワットのＲＦ、または２トールの圧力のマイクロ波プラズマ（Ｈ２Ｏ気相、３０００ｓｃｃｍ、５分以下で、約２５０℃の温度にて）にさらされる。
【００６８】
本発明の別の実施形態に従い、電気機械層はシリコンメタライゼーションであり、それは、ポリシリコン、ポリサイド、またはシリサイドの形態をとり得る。これらの電気機械層のそれぞれは僅かに異なるエッチング特性を有する一方で、それら全ては、ポリシリコンのプラズマエッチングにおいて類似する化学的性質においてエッチングされ得る。ポリシリコンの異方性エッチングは、Ｃｌ２、ＢＣｌ３、ＣＦ４、ＮＦ３、ＳＦ６、ＨＢｒ、および、それらとＡｒ、Ｎ２、Ｏ２、およびＨ２との混合物などの、ＣｌおよびＦベースの原料を用いて達成され得る。本発明において、ポリシリコン層またはシリサイド層（ＷＳｉｘ、またはＴｉＳｉｘ、あるいはＴａＳｉ）は、誘導結合プラズマにおいてエッチングされ、同時に、それぞれ、１００ｓｃｃｍ、５０ｓｃｃｍ、２０ｓｃｃｍ、および１０ｓｃｃｍのフローレートにて、Ｃｌ２、ＢＣｌ３、ＨＢｒ、およびＨｅＯ２のガスを流す。別の実施形態において、ポリサイド層は、反応性イオンエッチングチャンバにおいて異方性エッチングされ、それぞれ、５０ｓｃｃｍ、４０ｓｃｃｍ、４０ｓｃｃｍ、および１０ｓｃｃｍのフローレートにて、Ｃｌ２、ＳＦ６、ＨＢｒ、およびＨｅＯ２のガスを流している。両方の場合において、動作圧力は、１０〜３０ｍトールの範囲であり、誘導結合プラズマのバイアス電力は１００ワットであり、ソース電力は１２００ワットである。エッチングプロセスの間、ウエハは、１トールの圧力にて、２０ｓｃｃｍの背面のヘリウムガスの流れを用いて冷却される。典型的なエッチングレートは、毎分９０００オングストロームに達し得る。
【００６９】
静電効率を改善し、マイクロミラーアレイの角度クロスオーバー変化の間のスティクションを低下するために、複数の第２のレベル電極および複数のマイクロ着地チップが、制御基板の表面上に形成される。第１に、犠牲材料の層は、部分的に形成されたウエハの表面上において、所定の厚さにて堆積される（参照番号８３０）。犠牲材料がフォトレジストである場合、その層は表面上にスピンコートされる。それが有機ポリマーである場合、その層はＰＥＣＶＤによって堆積される。続く形成に備えるために、犠牲層は、その層を紫外線光にさらし、さらに、約３分間、ＣＦ４プラズマにさらし、約２時間、約１５０℃にてその層をベーキングし、最後に、約１分間、酸素プラズマにその層をさらすことによって、硬化させる必要がある。第２に、犠牲層はパターニングされ、複数の第２のレベル電極、複数の着地チップ、および複数の支持ポストに対するビアおよび接触開口部を形成する（参照番号８３１）。第３に、第２の電気機械層は、複数の第２のレベル電極、複数の着地チップ、および支持ポストを形成するために、選択された材料に依存して、ＰＶＤまたはＰＥＣＶＤによって堆積される。最後に、第２の電気機械層は、化学機械研磨（ＣＭＰ）によって所定の厚さに平坦化される（参照番号８３３）。第２のレベル電極およびマイクロ着地チップの好適な高さは１ミクロン未満である。
【００７０】
隆起したマルチレベルステップ電極およびマイクロ着地チップがＣＭＯＳ制御回路網基板上に形成されると、支持ポストのそれぞれの対の上にある隠れたヒンジを有する複数のミラーが形成される。そのプロセスは部分的に形成されたウエハの表面上において、所定の厚さにて、犠牲材料を堆積することから開始される（参照番号８４０）。次いで、犠牲層はパターニングされ、複数のヒンジ支持ポストに対してビアを形成する（参照番号８４１）。その犠牲層は、ビアを充てんし、ねじれヒンジおよびミラーの一部に対して薄い層を形成するために選択される材料に依存して、ＰＶＤまたはＰＥＣＶＤによって電気機械材料を堆積する前に、さらに硬化される（参照番号８４２）。電気機械層はＣＭＰによって所定の厚さへと平坦化される（参照番号８４３）。電気機械層はパターニングされ、複数の開口部、複数のねじれヒンジを形成する（参照番号８５０）。ミラープレートの下部分において複数のキャビティを形成し、そのキャビティの下に配置された複数のねじれヒンジを形成するために、犠牲材料はさらに堆積され、ねじれヒンジの周りの空隙を満たし、ヒンジの最上部上において所定の厚さにて薄い層を形成する（参照番号８５１）。好適な厚さは、Ｇ＝０．５×Ｗ×ＳＩＮ（θ）よりも僅かに大きく、ここでＷは、ヒンジ支持ポスト１０５の断面幅である。犠牲層はパターニングされ、それぞれのねじれヒンジの最上部上において複数のスペーサを形成する（参照番号８５２）。さらなる電気機械材料が堆積され、部分的に形成されたウエハの表面を覆う（参照番号８５３）。電気機械層は、複数の開口部をパターニングし、個々のミラープレート間の複数の空隙を形成する（参照番号８７０）前に、ＣＭＰによって所定の厚さへと平坦化される（参照番号８５４）。ミラー表面の反射は、アルミニウム、金、およびそれらの組み合わせからなる群より選択された、４００オングストローム以下の厚さの反射層をＰＶＤ堆積することによって向上され得る（参照番号８６０）。
【００７１】
形成されたウエハを個々の空間光変調デバイスダイへと分離するために、犠牲材料の厚い層は、保護のために、形成されたウエハ表面を覆うために堆積される（参照番号８８０）。次いで、形成されたウエハは、スクライビングおよび分裂（ｂｒｅａｋｉｎｇ）によって個々のダイを分離する（参照番号８８２）前に部分的に切断（ｓａｗ）される（参照番号８８１）。空間光変調器デバイスダイは、残りの犠牲材料をＲＦまたはマイクロ波プラズマストライピング（ｓｔｒｉｐｉｎｇ）する前に、ワイヤボンディングおよびインターコネクトを有するチップベースに取り付けられる（参照番号８８３）。ＳＬＭデバイスダイは、光学機能テストの前に、ミラープレートと電極および着地チップの表面との間におけるインターフェースにおいて、潤滑剤のＰＥＣＶＤコーティングにさらす（参照番号８８５）ことによってさらに滑らかにされる（参照番号８８６）。最後に、ＳＬＭデバイスは、ガラス窓の縁（ｇｌａｓｓ  ｗｉｎｄｏｗ  ｌｉｐ）で密閉され（参照番号８８７）、信頼性および堅牢な品質制御のためのバーンインプロセスへ送られる（参照番号８８８）。
【００７２】
マイクロミラーアレイのデジタル動作における主要な問題の一つは、機械的着地位置におけるマイクロミラーの高いスティクションである。表面接触固着は、制御回路網の静電力を越えて増加し得、湿度環境において、スティクションによる故障をデバイスに生じさせる。ミラープレート１０３と着地チップ２２２との間の接触固着を減少させ、角度クロスオーバー変化による接触と衝撃の間におけるインターフェースの機械的磨耗による質の低下から保護するために、薄い潤滑コーティングが、ミラープレート１０３の下部分上において、ならびに、電極２２１および着地チップ２２２の表面上において、堆積される。選択された潤滑剤は、熱的に安定し、低い蒸気圧で、マイクロミラーアレイデバイスを形成するメタライゼーションおよび電気機械材料と反応しないべきである。
【００７３】
本発明の実施形態において、過フッ化炭化水素の薄い膜が、ミラープレートの下部分の表面、ならびに、電極および着地チップの表面上にコーティングされる。ＳＬＭデバイスダイは、ＣＦ４などの過フッ化炭化水素のプラズマに対して、約２００℃の基板温度にて、５分未満の時間、さらされる。表面１０３上のフッ素は、ミラープレートのインターフェース、ならびに下部電極および着地チップに対して、水の吸着または付着から保護するのに役立ち、着地動作間において、ミラーのスティクションにおける湿度の影響を取り除く。ミラープレート１０３と下部電極２２１および着地チップ２２２との間のインターフェースにおける過フッ化炭化水素膜をコーティングすることは、露出表面付近に存在するフッ素原子のために、水に対する十分な反発性能を提供する。
【００７４】
本発明の別の実施形態において、ペルフルオロポリエーテル（ＰＥＰＥ）またはＰＥＰＥの混合物、あるいはフォスファジン（ｐｈｏｓｐｈａｚｉｎｅ）の誘導体は、ミラープレート１０３と、下部電極２２１および着地チップ２２２との間のインターフェースにおいて、５分未満の時間、約２００℃の基板温度にて、ＰＥＣＶＤによって堆積される。ＰＥＰＥ分子は１×１０−６〜１×１０−１１ａｔｍの範囲における総蒸気圧力を有する。潤滑膜の厚さは１０００オングストローム未満である。メタライゼーションまたは電気機械層の表面上における固着および潤滑性能を改善するために、リン酸エステルは、金属表面との類似性のために選択され得る。
【００７５】
高コントラスト空間光変調器を形成するための、それぞれのプロセスのさらなる詳細な記載が、一連の断面図において示される。図１０〜図１３は、複数の支持フレーム、およびアドレス回路網におけるメモリセルに接続される複数の第１のレベル電極を形成するための一つの方法示す、空間光変調器の一部の断面側面図である。図１４〜図１７は、複数の支持ポスト、複数の第２のレベル電極、および、制御基板の表面上の着地チップを形成するための一つの方法を示す、空間光変調器の一部の断面側面図である。図１８〜図２０は、複数のねじれヒンジおよび支持フレーム上の支持部を形成する一つの方法を示す、空間光変調器の一部の断面側面図である。図２１〜図２３は、複数の隠れたヒンジを有するミラープレートを形成する一つの方法を示す、空間光変調器の一部の断面側面図である。図２３〜図２６は、反射ミラーを形成し、マイクロミラーアレイの個々のミラーを解放する一つの方法を示す、空間光変調器の一部の断面側面図である。
【００７６】
図１０は、標準のＣＭＯＳ形成技術を用いた後の、制御シリコンウエハ基板６００を示す。一実施形態において、制御基板における制御回路網は、メモリセルのアレイ、および通信信号のためのワード線／ビット線のインターコネクトを含む。アドレス機能を実行する電気回路網を作るための多くの異なる方法が存在する。周知のＤＲＡＭ、ＳＲＡＭ、およびラッチデバイスもまた、アドレス機能を実行し得る。ミラープレート１０２領域は、半導体スケール上にて比較的大きくあり得（例えば、ミラープレート１０２は１００平方ミクロンよりも大きな領域を有し得る）、複合回路網は、マイクロミラー１０２の下に形成され得る。回路網は、時系列的なピクセル情報を保存する保存バッファ、および、パル幅変調変換を実行する回路網を含むことが見込まれるが、それらに限定されない。
【００７７】
通常のＣＭＯＳ形成プロセスにおいて、制御シリコンウエハ基板は、酸化シリコンまたは窒化シリコンなどのパッシベーション層６０１に覆われる。パッシベートされた制御基板６００は、パターニングされ、異方性エッチングされ、アドレス回路網において、ワード線／ビット線インターコネクトに接続されるビア６２１を形成し、これは図１１に示されている。本発明の別の実施形態に従い、酸化シリコンまたは窒化シリコンなどの誘電性材料の異方性エッチングは、Ｃ２Ｆ６およびＣＨＦ３ベースの原料ならびにＨｅおよびＯ２を用いたそれらの混合物にて達成される。一つの好適な、高選択性誘電性エッチングプロセスは、１００ｍトールの全圧にて、１０：１０：５：２の比率においてＣ２Ｆ６、ＣＨＦ３、Ｈｅ、およびＯ２の混合物（１２００ワットの誘電性ソース電力および６００ワットのバイアス電力）を流す。ウエハは、２トールの圧力にて、２０ｓｃｃｍの背面のヘリウムガスの流れを用いて冷却される。典型的な酸化シリコンのエッチングレートは、毎分８０００オングストロームに達し得る。
【００７８】
次に、図１２は、電気機械層６０２が、選択された電気機械材料に依存して、ＰＶＤまたはＰＥＣＶＤによって堆積されることを示す。この電気機械層６０２は、ヒンジ支持フレーム２０２、およびそれぞれのマイクロミラー１０２に対応する第１のレベル電極２２１を規定するためにパターニングされ、これは図１２に示されている。パターニングした電気機械層６０２は、以下のプロセスによって実行される。第１に、フォトレジストの層はスピンコートされ、基板表面を覆う。フォトレジスト層は、標準のフォトリソグラフィに露出され、所定のパターンを形成するように現象される。電気機械層は異方性エッチングされ、複数のビアおよび開口部を形成する。いったんビアおよび開口部が形成されると、部分的に形成されたウエハは、表面および開口部内から残留物を取り除くことによってクリーンにされる。これは、２０００ワットのＲＦ、または２トールの全圧のマイクロ波プラズマ（４０：１：５の比率にて、Ｏ２、ＣＦ４、およびＨ２Ｏガスの混合物、５分未満で、約２５０℃の温度にて）にさらすことによって達成される。最後に、電気機械層の表面は、２０００ワットのＲＦ、または２トールの圧力のマイクロ波プラズマ（３０００ｓｃｃｍのＨ２Ｏ気相、３分未満で、約２５０℃の温度にて）にさらすことによってパッシベートされる。
【００７９】
次のステップは、部分的に形成されたウエハの表面上において、複数の第２のレベル電極２２１、複数のマイクロ着地チップ２２２、および支持ポスト１０５を形成することである。ミクロンの厚さの犠牲材料６０４は基板表面上に堆積され、それは、スピンコートされたフォトレジストまたは有機ポリマーのＰＥＣＶＤであり得、図１３に示されている。犠牲層６０４は、一連の熱プラズマ処置によって硬化され、材料の構造を、疎水性状態からポリマーの親水性状態へと転換する。第１に、犠牲層６０４は、紫外線光にさらされ、次いで、約３分間、ＣＦ４プラズマにさらされ、約１分間、犠牲層を酸素プラズマにさらする前に、約２時間、１５０℃にて犠牲層をベーキングすることが続く。一部の場合においては、シリコン、ボロン、またはリン光体イオンのＫｅＶエネルギーを犠牲層に埋め込むことは、犠牲層６０４をさらに硬化させる。
【００８０】
次に、犠牲層６０４は、図１５に示されるように、第２のレベル電極６３２、マイクロ着地チップ６３３、および支持ポスト６３１に対して複数のビアおよび接触開口部を形成するためにパターニングされる。次の電気機械層に対する接着を向上させるために、ビアおよび接触開口部は、２０００ワットのＲＦ、または２トールの全圧のマイクロ波プラズマ（４０：１：５の比率にて、Ｏ２、ＣＦ４、およびＨ２Ｏガスの混合物、５分未満で、約２５０℃の温度にて）にさらされる。電気機械材料６０３はビアおよび接触開口部を充てんするために堆積される。その充てんは、選択される材料に依存し、ＰＥＣＶＤまたはＰＶＤのいずれかによってなされる。アルミニウム、チタニウム、タングステン、モリブデン、およびそれらの合金の群から選択される材料に対して、ＰＶＤは半導体産業における一般的な堆積方法である。シリコン、ポリシリコン、シリサイド、ポリサイド、タングステン、およびそれらの組み合わせからなる群より選択される材料に対しては、ＰＥＣＶＤが堆積の方法として選択される。部分的に形成されたウエハは、図１６に示されるように、１ミクロンより僅かに薄い、所定の厚さに、ＣＭＰによってさらに平坦化される。
【００８１】
ＣＭＰ平坦化の後、図１７は、犠牲材料６０４の別の層がブランケット表面上において、所定の厚さにまでスピンコートされ、ねじれヒンジの下の空隙スペーサを形成するように硬化されることを示す。犠牲層６０４は図１８に示されるように、ヒンジ支持ポスト６４１に対する複数のビアまたは接触開口部を形成するようにパターニングされる。図１９において、電気機械材料は、ビアを充てんし、表面上のねじれヒンジ層６０５を形成するために堆積される。このヒンジ層６０５は、所定の厚さにまでＣＭＰによって平坦化される。ここで形成される電気機械層６０５の厚さは、後に、ねじれヒンジバーの厚さおよびミラーの機械的性能を決定する。
【００８２】
部分的に形成されたウエハは、図２０に示されるように、パターニングされ、異方性エッチングされ、電気機械層６０５において、複数のねじれヒンジ１０６を形成する。さらなる犠牲材料６０４は、図２１に示されるように、それぞれのヒンジを囲む開口部６４３を充てんし、表面上の所定の厚さを有する薄い層６０４を形成するために堆積される。この層６０４の厚さは、それぞれのねじれヒンジ１０６の最上部上のスペーサの高さを規定する。犠牲層６０４は、図２２に示されるように、それぞれのねじれヒンジ１０６の最上部上の複数のスペーサを形成するためにパターニングされる。支持ポスト６４２の最上部表面はまた、ミラープレート１０３の下部分として、キャビティの下にあるゆえに、そのキャビティにおける空隙Ｇは、所定の角度θにて、より大きなヒンジ支持ポスト１０５と接触することなく、ミラープレート１０３の角度回転を収容するのに十分に高い必要がある。ミラーがヒンジ支持ポスト１０５と接触することなく、所定の角度θを回転するためには、ねじれヒンジ１０６が配置されるキャビティの空隙は、Ｇ＝０．５×Ｗ×ＳＩＮ（θ）よりも大きくなければならず、ここでＷは、ヒンジ支持ポスト１０５の断面幅である。本発明では、アレイ内の各ミラーは、各方向に１５度回転し得る。その計算は、キャビティにおけるねじれヒンジ１０６の空隙間隔ＧはＧ＝０．１３Ｗよりも大きくなければならないことを示す。方形ヒンジ支持ポスト１０５の各面の幅Ｗが１．０ミクロンである場合、キャビティにおける空隙間隔Ｇは０．１３ミクロンよりも大きいべきである。
【００８３】
ミラープレート１０３の下部分において、それぞれのキャビティの下にねじれヒンジ１０６を有するミラーを形成するために、さらなる電気機械材料６０５は、図２３に示されるように、複数の犠牲スペーサを覆うように堆積される。一部の場合において、化学機械研磨（ＣＭＰ）プロセスが追加され、電気機械層６０５の平坦な反射表面が、個々のミラーを形成するためのエッチングの前に達成されていることを保証する。電気機械層６０５全体の厚さは、最終的に形成されるミラープレート１０３と、最終的にはほぼ同じ厚さである。図２３において、部分的に形成されたウエハの表面は、ミラープレート１０３の所定の厚さへと、ＣＭＰによって平坦化される。本発明において、ミラープレート６０５の厚さは０．３〜０．５ミクロンの間である。電気機械材料が、アルミニウムまたはその金属合金である場合、ミラーの反射性は、殆どのディスプレイ用途に対して十分に高い。一部の他の電気機械材料に対して、または他の用途に対して、ミラー表面の反射性は、図２４に示されるように、アルミニウム、金、それらの合金、およびそれらの組み合わせからなる群より選択された、４００オングストロームまたはそれ未満の厚さの反射表面６０６の堆積によって向上され得る。電気機械層の反射表面６０６は、次いで、パターニングされ、異方性エッチングされ、図２５に示されるように、複数の個々のミラーを形成する。
【００８４】
図２６は、残りの犠牲材料６０４が取り除かれ、機能的なマイクロミラーアレイベースの空間光変調器を形成するために、残留物が、アレイにおけるそれぞれの個々のミラー間の複数の空隙を介してクリーニングにされる。実際の製造環境において、映像ディスプレイ用途に対する機能的な空間光変調器を提供する前に、さらなるプロセスが必要とされる。電気機械層６０５の反射表面６０６がパターニングされ、異方性エッチングされ、複数の個々のミラーを形成した後、さらなる犠牲材料６０４が堆積され、形成されたウエハ表面を覆う。犠牲層６０４の層によって保護されたその表面を有し、形成されたウエハは、個々のデバイスダイを形成するために、共通の半導体パッケージングプロセスを経由する。パッケージングプロセスにおいて、スクライビングおよび分裂によって個々のダイを分離する（参照番号８８２）前に、形成されたウエハは部分的に切断される（参照番号８８１）。空間光変調器デバイスダイは、残りの犠牲材料６０４およびその構造における残留物をストライピングする（参照番号８８３）前に、ワイヤボンディングおよびインターコネクトを用いてチップベースに取り付けられる（参照番号８８４）。クリーニングは、２０００ワットのＲＦ、または２トールの全圧のマイクロ波プラズマ（４０：１：５の比率にて、Ｏ２、ＣＦ４、およびＨ２Ｏガスの混合物、５分、未満で、約２５０℃の温度にて）にさらすことによって達成される。最後に、電気機械層の表面およびメタライゼーション構造は、２０００ワットのＲＦ、または２トールの圧力のマイクロ波プラズマ（３０００ｓｃｃｍのＨ２Ｏ気相、３分未満で、約２５０℃の温度にて）にさらすことによってパッシベートされる。
【００８５】
ＳＬＭデバイスダイは、プラズマクリーニングおよび電気光学機能テスト（参照番号８８６）の前に、５分未満の時間、約２００℃の温度にて、過フッ化炭化水素のＰＥＣＶＤにさらすことによって開いた構造の内側における反固スティクションがさらにコーティングされる（参照番号８８５）。最後に、ＳＬＭデバイスは、ガラス窓の縁で密閉され（参照番号８８７）、信頼性および堅牢な品質制御のためのバーンインプロセスへ送られる（参照番号８８８）。
【００８６】
本発明は特に、複数の実施形態を参照して示され、記載されているが、形式および詳細における様々な変更が、本発明の精神および範囲から逸脱することなく、本明細書においてなされ得ることは当業者によって理解される。例えば、同様の３次元多層構造は、犠牲層をパターニングし、ビアをエッチングするのではなく、電気機械層をパターニングし、エッチングすることによって構築され得る。
【００８７】
図２７は、下表面１０１０上の反スティクション特性を有するマイクロミラープレート１０００の底面図である。図２８は、マイクロミラープレートの底面透視図である。下表面１０１０の少なくとも一部は伝導性である。その伝導表面は、電圧が、下表面１０１０と制御基板上の電極との間に印加され得るように、電気回路に接続される。キャビティ１０２１および１０３１の対は、マイクロミラープレート１０００の裏面に形成される。ねじれヒンジ１０２０および１０３０の対は、それぞれ、キャビティ１０２０および１０３０内に延びる。ねじれヒンジ１０２０および１０３０は、それぞれ、ヒンジ１０２３および１０３３を介して、マイクロミラープレート１０００の本体と接続され、ヒンジ支持ポスト１０２５および１０３５は制御基板１１５０に接続される。
【００８８】
ねじれヒンジ１０２０は、ねじれヒンジ１０２０に対するミラープレート１０００の回転または傾斜を可能にするために、空隙によってキャビティ１０２１の壁から分離される。細長ヒンジブリッジ１０２３は、一端でねじれヒンジ１０２１と接続され、他端でマイクロミラープレート１０００の本体と接続される。ヒンジブリッジ１０２３の側面は、ヒンジブリッジ１０２３の最上部表面の上のチャネル１０２２および空隙によって、マイクロミラープレート１０００の本体から分離される。同様に、ねじれヒンジ１０３０は、空隙によってキャビティ１０３１の壁から分離される。細長ヒンジブリッジ１０３３は、一端でねじれヒンジ１０３１と接続され、他端でマイクロミラープレート１０００の本体と接続される。ヒンジブリッジ１０３３の側面は、ヒンジブリッジ１０３３の最上部表面の上のチャネル１０３２および空隙によって、マイクロミラープレート１０００の本体から分離される。
【００８９】
図２８に示されるように、ねじれヒンジ１０２０および１０３０は、制御基板に固定されたヒンジ支持ポストに接続される。以前に検討されたように、制御基板上の電極と、ミラープレート１０００の伝導性の下表面１０１０との間における電圧によって生成された静電力によって、マイクロミラープレート１０００にトルクが印加される場合、マイクロミラープレート１０００は、２つのねじれヒンジ１０２０および１０３０によって規定される対角軸の周りにおいて傾斜し得、細長ヒンジブリッジ１０２３および１０３３において、ねじれによる歪みを生成する。マイクロミラープレートは、図１ａおよび図１ｂに示されるように、電気的に誘導されたトルクによって、制御基板に固定されたマイクロチップ２１１ａおよび２１１ｂに対する２つの角度位置にて保持され得る。したがって、入射光波は２つ以上の方向に、マイクロミラー１０００の最上部の反射表面によって反射され得る。
【００９０】
ＳＬＭデバイスへの取り組みは、停止位置に対してマイクロミラープレートが接触スティクションすることを克服し、ＳＬＭデバイスにおける高速応答を可能にすることである。マイクロミラープレートの下表面と着地チップ１２４０の先端との間における接触スティクションは、減速し得るか、マイクロミラープレートは、駆動電力が取り除かれるか破棄された後に、そのオリジナルの角度位置へと戻らないようにする。接触スティクションは、ファン・デル・ワールス力、および、接触表面間にて閉じ込められた蒸気によって生成される毛管作用力によって生じ得る。
【００９１】
この接触スティクション問題と取り組むために、マイクロミラープレート１０００は、２つの追加的なキャビティ１０４１および１０５１を含む。キャビティ１０４１は、一つ以上の開口部１０４２を残しておく膜１０４０によって部分的に覆われ得る。同様に、膜１０５０は、キャビティ１０５１上をブリッジする。膜１０５０は、キャビティ１０５１を部分的に覆い、一つ以上の開口部を残す。膜１０４０および１０５０は、着地チップ１２４０のうちの一つが、ミラープレート１０００が回転した場合に、膜１０４０および１０５０のうちの一つと接触するように配置される。
【００９２】
キャビティ１０４１および１０５１、ならびに膜１０４０および１０５０は、キャビティ１０２１および１０３１、ならびにねじれヒンジ１０２１および１０３１と同様の処理ステップによって形成され得る。キャビティ１０４１および１０５１は、空隙を膜１０４０および１０５０の内側にしておく犠牲材料を取り除くことによって形成され得る。膜１０４０および１０５０は、チタニウム、タンタル、タングステン、モリブデン、またはそれらの材料の合金からなる層によって形成され得る。膜１０４０および１０５０はまた、シリコン、アモルファスシリコン、ポリシリコン、または窒化シリコンからなり得る。一実施形態において、膜１０４０および１０５０は、マイクロミラープレート１０００の本体と実質的に同様の材料組成を含み得る。
【００９３】
キャビティ１０４１および１０５１は、膜１０４０および１０５０によって、開口部１０４２および１０５２を介して、犠牲材料の層を取り除くことによって形成され得る。例えば、犠牲材料は、フォトレジスト材料の層であり得る。一実施形態において、犠牲材料の層は、以前に記載したように、キャビティ１０２１および１０３１を形成するための犠牲層と同様の層として、パターニングおよび堆積される。膜１０４０および１０５０は、ねじれヒンジ１０２１および１０３１と同様の堆積材料の層から形成され得る。反スティクション特性およびねじれヒンジの同時形成は、製造時の複雑さおよび生産コストを減少させ、処理能力を増加させる利点を有する。
【００９４】
図２９〜図３４は、一つ以上の隠れたヒンジが配置されている第１のキャビティ、および膜によって部分的に覆われている第２のキャビティを有するミラープレートを形成するプロセスを示す、空間光変調器の一部の断面側面図である。その断面は、図２７において、線Ａ−Ａ’に沿って表される。図２９〜図３４に示される処理ステップは、キャビティ１０４１および１０５１、ならびに膜１０４０および１０５０を含む追加的な反固着特性を除いて、図２１〜図２６に示されるものと同様である。特に、図２９を参照すると、犠牲材料６０４がヒンジ層６０５上に堆積される前に、開口部１０４２および１０５２は、ヒンジ層６０５においてパターニングされ、エッチングされる（開口部１０４２および１０５２は、図２９〜図３４における断面図においては不可視である）。図３０において示されるように、犠牲材料６０４が堆積された後、キャビティ１０４１および１０５１が形成される位置において、犠牲材料部分６０４ａおよび６０４ｂを、開口部１０４２および１０５２の内部に、および、ねじれヒンジ層６０５の上にしておくようにパターニングされる。電気機械層６０８が堆積される場合、図３１において、犠牲材料の２つのポケット６０４ａおよび６０４ｂは、ねじれヒンジ層６０５の表面上の電気機械層６０８において形成される。反射層６０６は、図３２において、ねじれヒンジ層６０５上に堆積される。電気機械層の反射層６０６は次いでパターニングされる。アパーチャは、図３３に示されるように、複数の個々のミラーを規定するために、反射層６０６、電気機械層６０８、およびねじれヒンジ層６０５を介して、犠牲層６０４に異方性エッチングされる。犠牲材料は、図３４において取り除かれ、ヒンジ層６０５における開口部１０４２および１０５２、ならびに、その開口部１０４２および１０５２の上方における電気機械層６０８内のキャビティ１０４１および１０５１を形成する。膜１０４０および１０５０は残り、キャビティ１０４１および１０５１をブリッジする。
【００９５】
図３５は、マイクロミラープレート１１００および制御基板１１５０における様々な層の拡張斜視図である。マイクロミラープレート１１００は、反射層１１１０、プレート層１１２０、スペーサ層１１３０、およびヒンジ膜層１１４０を含む。反スティクションのための第２のキャビティおよびねじれヒンジのためのスペース層が、スペーサ層１１２０において形成される。ねじれヒンジ１０２０および１０３０、ならびに膜１０４０および１０５０は、ヒンジ膜層１１４０において形成される。制御基板１１５０は、ヒンジ支持ポスト１０２５および１０３５、ステップ電極１１６０、および上述されたような他の構成要素を含む。制御基板上の着地チップ１２４０は、それぞれの膜１１４０および１１５０に合わされる。
【００９６】
図３６は、図２７における線Ａ−Ａ’に沿った断面において、傾斜角度位置での、マイクロミラープレート１２００の拡大図を示す。マイクロミラープレート１２００は、基板部分１２１１、反射性最上部表面層１２１０、キャビティ１２１２、およびキャビティ１２１２をブリッジする膜１２２０を含む。マイクロミラープレート１２００の傾斜は、静電力によって駆動され得る。制御基板１２３０に固定された着地チップ１２４０は、膜１２２０と接触することによって、マイクロミラープレート１２００の傾斜を停止するように構成される。マイクロミラープレート１２００上に働かされる下向きの静電力は、膜１２２０および着地チップ１２４０の両方における変形を生成する。その結果、膜１２２０は、変形された膜位置１２２１へと歪められる（破線によって表され、その歪みは、明瞭さのために、図３６において誇張されている）。
【００９７】
着地チップ１２４０はまた、歪められた着地チップ位置１２４１へと曲げられる（破線において、その歪みは、明瞭さのために、図３６において誇張されている）。膜１２２０の変形は、膜１２２０において、機械的位置エネルギーを保存する。膜１２２０に保存された位置エネルギーは、その電圧がマイクロミラープレートの伝導性底表面と、制御基板上の電極との間において取り除かれるかまたは反転される場合、着地チップ１２４０の先端に対して押す弾力を生成するように、解放され得る。同様に、曲げられた着地チップ１２４０はまた、駆動静電力が取り除かれるか、または反転された場合、マイクロミラープレート１２００を押しやるために解放され得る機械的位置エネルギーを保存する。個々の着地チップまたは着地チップ総合のいずれかからの位置エネルギーの解放という、この性能は、接触表面における接触スティクションを克服し、着地チップ１２４０と膜１２２０との間の急速な分離を可能にするのに役立つ。
【００９８】
開示されたＳＬＭデバイスは、ミラープレートの回転を停止するために、基板に接合される単一の着地チップを含み得る。ミラープレートは、キャビティ、およびミラープレートの下側上にあるキャビティ上の膜を含み得る。上述のように、ミラープレートが着地プレートに対する静電力によって回転される場合、膜は着地チップと接触し得、ミラープレートの回転を停止させる。膜が着地チップと接触するミラープレートの方向は、光変調のためのミラープレートの一つの角度位置を規定する。着地チップと膜との間の接触は、変形された膜および曲げられた着地チップの弾性エネルギーを保存する。弾性力の解放は、ミラープレートが別の静電力によって着地チップから離れるように回転された場合、着地チップとミラープレートとの間の接触スティクションを克服するのに役立つ。ミラーは水平方向または別の角度方向へと傾斜され得、そのミラープレートによって、光変調の第２の状態を規定する。
【００９９】
本明細書において記載された本発明の実施形態および全ての機能的動作は、デジタル電気回路網においてインプリメントされ得るか、あるいはコンピュータソフトウェア、ファームウェア、またはハードウェアにおいてインプリメントされ得、本明細書に開示される構造物およびそれらの構造的均等物、またはそれらの組み合わせを含む。本発明の実施形態は、データ処理装置の動作による実行または動作をするための実行のために、一つ以上のコンピュータプログラム製品、例えば、機械可読格納デバイス、機械可読格納媒体、メモリデバイス、または機械可読伝搬信号など、コンピュータ可読媒体上にてエンコードされる、すなわち、コンピュータプログラム命令の一つ以上のモジュールとしてインプリメントされ得る。「データ処理装置」との用語は、例えば、プログラマブルプロセッサ、コンピュータ、あるいはマルチプロセッサまたは複数のコンピュータなどを含む、データを処理するための全ての装置、デバイス、および機械を包含する。その装置は、ハードウェアに加えて、例えば、プロセッサファームウェア、プロトコルスタック、データベース管理システム、オペレーティングシステム、またはそれらの組み合わせを構成するコードなど、当該のコンピュータプログラムのための実行環境を作成するコードを含み得る。伝搬信号は、例えば、機械によって生成された電気信号、光信号、または電磁信号などの、人工的に生成された信号であり、適切な受信器装置へ送信するための情報をエンコードするために生成される。
【０１００】
コンピュータプログラム（プログラム、ソフトウェア、ソフトウェアアプリケーション、スクリプト、またはコードとしてもまた知られる）は、コンパイラ型言語またはインタープリタ型言語を含む、任意の形式のプログラミング言語において書かれ得、独立型プログラムまたはモジュールとして、または、構成要素またはサブルーチン、あるいはコンピュータ環境において用いられるのに適切な他のユニットを含んだ任意の形態において配備され得る。コンピュータプログラムは、ファイルシステムにおけるファイルに対応する必要はない。プログラムは、当該のプログラムに専用の単一のファイル、または複数の同等のファイル（例えば、一つ以上のモジュール、サブプログラム、またはコードの一部などを格納するファイル）において、他のプログラムまたはデータ（例えば、マークアップ言語文書において格納された一つ以上のスクリプト）を保持するファイルの一部において格納され得る。コンピュータプログラムは、一つの場所に配置されているか、または複数のサイトに亘って分配されており、通信ネットワークによって相互接続されている、一つのコンピュータまたは複数のコンピュータ上にて実行されるように配置され得る。
【０１０１】
本明細書において記載されるプロセスおよびロジックフローは、入力データに基づいて動作し、出力を生成することによって機能を実行するための、一つ以上のコンピュータプログラムを実行する一つ以上のプログラマブルプロセッサによって実行され得る。プロセスおよびロジックフローはまた、例えば、ＦＰＧＡ（フィールドプログラマブルゲートアレイ）または、ＡＳＩＣ（特定用途向け集積回路）などの特別な目的のロジック回路網によって実行され得、また、これら回路網としてインプリメントされ得る。
【０１０２】
コンピュータプログラムの実行のために適切なプロセッサは、例えば、汎用および特殊目的用マイクロプロセッサの両方、あるいは、任意の種類のデジタルコンピュータの任意の一つ以上のプロセッサを含む。一般的には、プロセッサは、読出し専用メモリまたはランダムアクセスメモリ、あるいはそれらの両方から、命令およびデータを受け取る。コンピュータの必須要素は、命令を実行するためのプロセッサ、ならびに、命令およびデータを格納するための一つ以上のメモリデバイスである。一般に、コンピュータはまた、例えば、磁気ディスク、磁気光学ディスク、または光学ディスクなど、データを格納するための一つ以上の大容量記憶装置デバイスを含むか、あるいは、これらデバイスにデータを受信またはこれらデバイスから送信、あるいはその両方をするよう動作可能に結合される。しかしながら、コンピュータはそのようなデバイスを有する必要はない。さらに、コンピュータは、いくつか例を挙げれば、例えば、携帯電話、携帯情報端末（ＰＤＡ）、携帯音楽プレーヤ、全地球測位システム（ＧＰＳ）受信機などの別のデバイスに組み込まれ得る。コンピュータプログラム命令およびデータを具体化するために適切な情報キャリアは、不揮発性メモリのあらゆる形態を含み、半導体メモリデバイス、例えば、ＥＰＲＯＭ、ＥＥＰＲＯＭ、およびフラッシュメモリデバイス、磁気ディスク、例えば、内部ハードディスクまたはリムーバブルディスク、磁気光学ディスク、ならびに、ＣＤ−ＲＯＭおよびＤＶＤ−ＲＯＭディスクを含む。プロセッサおよびメモリは、特定目的のロジック回路網によって補完され得るか、または組み込まれ得る。本発明は好適な実施形態に関して記載されている。しかしながら、本発明は、表され、記載された実施形態に限定されない。そうではなく、本発明の範囲は、添付の請求の範囲によって規定される。
【０１０３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１０４】
反射性上表面と、伝導表面部分を有する下表面と、下表面上の開口部を有する第１のキャビティ、基板部分における第２のキャビティ、および第２のキャビティ上の膜を有する基板部分とを備えるミラープレートを含む空間光変調器が提供される。その変調器は、上表面、上表面と接続するヒンジ支持ポスト、ヒンジ支持ポストによって支持され、ミラープレートと接続し、ミラープレートの回転を容易にするヒンジ構成部品を備える基板を含む。ヒンジ構成部品は第１のキャビティ内部へと延びる。垂直着地チップは、ミラープレートの基板部分における第２のキャビティ上の膜と接触し、所定の方向にてミラープレートの回転を停止させるように構成される。
【図面の簡単な説明】
【０１０５】
【図１】図１ａは、照明を「オン」状態に偏向する本発明の一実施形態に従った、空間光変調器の一部の断面図を示す。図１ｂは、照明を「オフ」状態に偏向する本発明の一実施形態に従った、空間光変調器の一部の断面図を示す。
【図２】斜め照明構成を用いた投射システムのための方形ミラーのアレイの一部の最上部を示す斜視図である。
【図３】斜め照明構成を用いた投射システムのための制御回路網基板の一部の最上部の斜視図である。
【図４】直角照明構成を用いた投射システムのための、各ミラーが一連の曲線型の前縁および後縁を有するミラーアレイの一部の最上部の斜視図を示す。
【図５】直角照明構成を用いた投射システムのための制御回路網基板の一部の最上部を示す斜視図である。
【図６】直角照明構成を用いた投射システムのための、各ミラーが一連の曲線型の前縁および後縁を有するミラーアレイの一部の拡大背面図である。
【図７】ミラープレートの下部分におけるキャビティの下のねじれヒンジおよびそれらの支持ポストを示す斜視図である。
【図８】一方向において１５度回転する場合、ミラープレートのねじれヒンジ周りの最小空隙間隔を示す図である。
【図９】高コントラスト空間光変調器の形成プロセスフロー図である。
【図１０】複数の支持フレームおよび回路網におけるメモリセルに接続される複数の第１のレベル電極を形成するための一つの方法を示す、空間光変調器の一部の断面側面図である。
【図１１】複数の支持フレームおよび回路網におけるメモリセルに接続される複数の第１のレベル電極を形成するための一つの方法を示す、空間光変調器の一部の断面側面図である。
【図１２】複数の支持フレームおよび回路網におけるメモリセルに接続される複数の第１のレベル電極を形成するための一つの方法を示す、空間光変調器の一部の断面側面図である。
【図１３】複数の支持フレームおよび回路網におけるメモリセルに接続される複数の第１のレベル電極を形成するための一つの方法を示す、空間光変調器の一部の断面側面図である。
【図１４】複数の支持ポスト、複数の第２のレベル電極、および、制御基板の表面上の着地チップを形成するための一つの方法を示す、空間光変調器の一部の断面側面図である。
【図１５】複数の支持ポスト、複数の第２のレベル電極、および、制御基板の表面上の着地チップを形成するための一つの方法を示す、空間光変調器の一部の断面側面図である。
【図１６】複数の支持ポスト、複数の第２のレベル電極、および、制御基板の表面上の着地チップを形成するための一つの方法を示す、空間光変調器の一部の断面側面図である。
【図１７】複数の支持ポスト、複数の第２のレベル電極、および、制御基板の表面上の着地チップを形成するための一つの方法を示す、空間光変調器の一部の断面側面図である。
【図１８】複数のねじれヒンジおよび支持フレーム上の支持部を形成する一つの方法を示す、空間光変調器の一部の断面側面図。
【図１９】複数のねじれヒンジおよび支持フレーム上の支持部を形成する一つの方法を示す、空間光変調器の一部の断面側面図。
【図２０】複数のねじれヒンジおよび支持フレーム上の支持部を形成する一つの方法を示す、空間光変調器の一部の断面側面図。
【図２１】複数の隠れたヒンジを有するミラープレートを形成する一つの方法を示す、空間光変調器の一部の断面側面図。
【図２２】複数の隠れたヒンジを有するミラープレートを形成する一つの方法を示す、空間光変調器の一部の断面側面図。
【図２３】複数の隠れたヒンジを有するミラープレートを形成する一つの方法を示す、空間光変調器の一部の断面側面図。
【図２４】反射ミラーを形成し、マイクロミラーアレイの個々のミラーを解放する一つの方法を示す、空間光変調器の一部の断面側面図。
【図２５】反射ミラーを形成し、マイクロミラーアレイの個々のミラーを解放する一つの方法を示す、空間光変調器の一部の断面側面図。
【図２６】反射ミラーを形成し、マイクロミラーアレイの個々のミラーを解放する一つの方法を示す、空間光変調器の一部の断面側面図。
【図２７】反固着特性を有するマイクロミラープレートの底面図。
【図２８】マイクロミラープレートの底面透視図。
【図２９】一つ以上の隠れたヒンジおよび膜によって部分的に覆われている第２のキャビティを有するミラープレートを形成するプロセスを示す、空間光変調器の一部の断面側面図。
【図３０】一つ以上の隠れたヒンジおよび膜によって部分的に覆われている第２のキャビティを有するミラープレートを形成するプロセスを示す、空間光変調器の一部の断面側面図。
【図３１】一つ以上の隠れたヒンジおよび膜によって部分的に覆われている第２のキャビティを有するミラープレートを形成するプロセスを示す、空間光変調器の一部の断面側面図。
【図３２】反射ミラーを形成し、一つ以上の隠れたヒンジおよび膜によって部分的に覆われている第２のキャビティを有するミラープレートを解放するプロセスを示す、空間光変調器の一部の断面側面図。
【図３３】反射ミラーを形成し、一つ以上の隠れたヒンジおよび膜によって部分的に覆われている第２のキャビティを有するミラープレートを解放するプロセスを示す、空間光変調器の一部の断面側面図。
【図３４】反射ミラーを形成し、一つ以上の隠れたヒンジおよび膜によって部分的に覆われている第２のキャビティを有するミラープレートを解放するプロセスを示す、空間光変調器の一部の断面側面図。
【図３５】マイクロミラープレートおよび制御基板における展開斜視図。
【図３６】制御基板と接続する着地チップと接触するマイクロミラープレートの拡大断面図。
【符号の説明】
【０１０６】
１０２  ミラープレート
１０３  下表面
１０５  ヒンジ支持ポスト
２２２  垂直着地チップ
３００  基板
【図１】
2007156466.tif 000003
【図２】
2007156466.tif 000004
【図３】
2007156466.tif 000005
【図４】
2007156466.tif 000006
【図５】
2007156466.tif 000007
【図６】
2007156466.tif 000008
【図７】
2007156466.tif 000009
【図８】
2007156466.tif 000010
【図９】
2007156466.tif 000011
【図１０】
2007156466.tif 000012
【図１１】
2007156466.tif 000013
【図１２】
2007156466.tif 000014
【図１３】
2007156466.tif 000015
【図１４】
2007156466.tif 000016
【図１５】
2007156466.tif 000017
【図１６】
2007156466.tif 000018
【図１７】
2007156466.tif 000019
【図１８】
2007156466.tif 000020
【図１９】
2007156466.tif 000021
【図２０】
2007156466.tif 000022
【図２１】
2007156466.tif 000023
【図２２】
2007156466.tif 000024
【図２３】
2007156466.tif 000025
【図２４】
2007156466.tif 000026
【図２５】
2007156466.tif 000027
【図２６】
2007156466.tif 000028
【図２７】
2007156466.tif 000029
【図２８】
2007156466.tif 000030
【図２９】
2007156466.tif 000031
【図３０】
2007156466.tif 000032
【図３１】
2007156466.tif 000033
【図３２】
2007156466.tif 000034
【図３３】
2007156466.tif 000035
【図３４】
2007156466.tif 000036
【図３５】
2007156466.tif 000037
【図３６】
2007156466.tif 000038